【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも該大域信号と該詳細信号を前記記録媒体に記録する工程と、を含むことを特徴とする画像記録方法。
【請求項２】
前記入力画像データに付随する付加情報を取得する工程と、
取得した前記付加情報に基づいて前記大域信号および前記詳細信号の生成条件を決定する大域・詳細信号生成条件決定工程と、を含むことを特徴とする請求項１に記載の画像記録方法。
【請求項３】
前記付加情報に基づいてローパスフィルター特性を決定し、決定されたローパスフィルター特性に基づいて前記大域信号と前記詳細信号とを生成することを特徴とする請求項２に記載の画像記録方法。
【請求項４】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも該詳細信号に詳細変換処理を施して変換詳細信号とする工程と、
該詳細信号と該変換詳細信号を用いて差分詳細信号を生成する工程と、
少なくとも該大域信号と該変換詳細信号と該差分詳細信号を前記記録媒体に記録する工程と、を含むことを特徴とする画像記録方法。
【請求項５】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
該大域信号と該詳細信号から鑑賞画像参照データを生成する工程と、
少なくとも該大域信号と該詳細信号と鑑賞画像参照データを前記記録媒体に記録する工程と、を含むことを特徴とする画像記録方法。
【請求項６】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも詳細信号に詳細変換処理を施して変換詳細信号とする工程と、
該詳細信号と該変換詳細信号を用いて差分詳細信号を生成する工程と、
該大域信号と該変換詳細信号から鑑賞画像参照データを生成する工程と、
少なくとも該大域信号と該変換詳細信号と該差分詳細信号と該鑑賞画像参照データを前記記録媒体に記録する工程と、を含むことを特徴とする画像記録方法。
【請求項７】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号と該詳細輝度信号と該入力色信号を前記記録媒体に記録する工程と、を含むことを特徴とする画像記録方法。
【請求項８】
前記入力画像データに付随する付加情報を取得する工程と、
取得した前記付加情報に基づいて前記大域輝度信号および前記詳細輝度信号の生成条件を決定する大域・詳細輝度信号生成条件決定工程と、を含むことを特徴とする請求項７に記載の画像記録方法。
【請求項９】
前記付加情報に基づいてローパスフィルター特性を決定し、決定されたローパスフィルター特性に基づいて前記大域輝度信号と前記詳細輝度信号とを生成することを特徴とする請求項８に記載の画像記録方法。
【請求項１０】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも詳細輝度信号に詳細変換処理を施して変換詳細輝度信号とする工程と、
該詳細輝度信号と該変換詳細輝度信号を用いて差分詳細輝度信号を生成する工程と、
少なくとも該大域輝度信号と該変換詳細輝度信号と該差分詳細輝度信号と該入力色信号を前記記録媒体に記録する工程と、を含むことを特徴とする画像記録方法。
【請求項１１】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも入力色信号に色変換処理を施して変換入力色信号を生成する工程と、
該入力色信号と該変換入力色信号から差分入力色信号を生成する工程と、
少なくとも該大域輝度信号と該詳細輝度信号と該変換入力色信号と該差分入力色信号を前記記録媒体に記録する工程と、を含むことを特徴とする画像記録方法。
【請求項１２】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
該大域輝度信号と該詳細輝度信号と該入力色信号から鑑賞画像参照データを生成する工程と、
少なくとも該鑑賞画像参照データと該大域輝度信号と該詳細輝度信号と該入力色信号を前記記録媒体に記録する工程と、を含むことを特徴とする画像記録方法。
【請求項１３】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該詳細輝度信号に詳細変換処理を施して変換詳細輝度信号とする工程と、
該詳細輝度信号と該変換詳細輝度信号を用いて差分詳細輝度信号を生成する工程と、
該大域輝度信号と変換詳細輝度信号と入力色信号から鑑賞画像参照データを生成する工程と、
少なくとも該鑑賞画像参照データと該大域輝度信号と該変換詳細輝度信号と該差分詳細輝度信号と該入力色信号を前記記録媒体に記録する工程と、を含むことを特徴とする画像記録方法。
【請求項１４】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該入力色信号に色変換処理を施して変換入力色信号を生成する工程と、
該入力色信号と該変換入力色信号から差分入力色信号を生成する工程と、
該大域輝度信号と該詳細輝度信号と該変換入力色信号から鑑賞画像参照データを生成する工程と、
少なくとも該鑑賞画像参照データと該大域輝度信号と該詳細輝度信号と該変換入力色信号と該差分入力色信号を前記記録媒体に記録する工程と、を含むことを特徴とする画像記録方法。
【請求項１５】
入力画像データに出力媒体上での鑑賞画像形成のために最適化する画像処理を施して、鑑賞画像参照データを生成するために画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号と該色変換詳細輝度信号と該色変換入力色信号を前記記録媒体に記録する工程と、を含むことを特徴とする画像記録方法。
【請求項１６】
前記入力画像データに付随する付加情報を取得する工程と、
取得した前記付加情報に基づいて前記色変換大域輝度信号および前記色変換詳細輝度信号の生成条件を決定する色変換大域・詳細輝度信号生成条件決定工程と、を含むことを特徴とする請求項１５に記載の画像記録方法。
【請求項１７】
前記付加情報に基づいてローパスフィルター特性を決定し、決定されたローパスフィルター特性に基づいて前記色変換大域輝度信号と前記色変換詳細輝度信号とを生成することを特徴とする請求項１６に記載の画像記録方法。
【請求項１８】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換詳細輝度信号に変換処理を施し色変換−変換詳細輝度信号を生成する工程と、
該色変換詳細輝度信号と該色変換−変換詳細輝度信号から色変換−差分詳細輝度信号を生成する工程と、
少なくとも該色変換大域輝度信号と該色変換−変換詳細輝度信号と該色変換−差分詳細輝度信号と該色変換入力色信号を前記記録媒体に記録する工程と、を含むことを特徴とする画像記録方法。
【請求項１９】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
該色変換入力色信号に変換処理を施して色変換−変換入力色信号を生成する工程と、
該色変換入力色信号と該色変換−変換入力色信号から色変換−差分入力色信号を生成する工程と、
少なくとも該色変換大域輝度信号と該色変換詳細輝度信号と該色変換−変換入力色信号と該色変換−差分入力色信号を前記記録媒体に記録する工程と、を含むことを特徴とする画像記録方法。
【請求項２０】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
該色変換大域輝度信号と該色変換詳細輝度信号と該色変換入力色信号から鑑賞画像参照データを生成する工程と、
少なくとも該鑑賞画像参照データと該色変換大域輝度信号と該色変換詳細輝度信号と該色変換入力色信号を前記記録媒体に記録する工程と、を含むことを特徴とする画像記録方法。
【請求項２１】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換詳細輝度信号に変換処理を施し色変換−変換詳細輝度信号を生成する工程と、
該色変換詳細輝度信号と該色変換−変換詳細輝度信号から色変換−差分詳細輝度信号を生成する工程と、
該色変換大域輝度信号と該色変換−変換詳細輝度信号と該色変換入力色信号から鑑賞画像参照データを生成する工程と、
少なくとも該鑑賞画像参照データと該色変換大域輝度信号と該色変換−変換詳細輝度信号と該色変換−差分詳細輝度信号と該色変換入力色信号を前記記録媒体に記録する工程と、を含むことを特徴とする画像記録方法。
【請求項２２】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
該色変換入力色信号に変換処理を施して色変換−変換入力色信号を生成する工程と、
該色変換入力色信号と該色変換−変換入力色信号から色変換−差分入力色信号を生成する工程と、
該色変換大域輝度信号と該色変換詳細輝度信号と該色変換−変換入力色信号から鑑賞画像参照データを生成する工程と、
少なくとも該鑑賞画像参照データと該色変換大域輝度信号と該色変換詳細輝度信号と該色変換−変換入力色信号と該色変換−差分入力色信号を前記記録媒体に記録する工程と、を含むことを特徴とする画像記録方法。
【請求項２３】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも該大域信号に変換処理を施して変換大域信号とする工程と、
該変換大域信号と該大域信号から差分大域信号を生成する工程と、
少なくとも該変換大域信号と該詳細信号と該差分大域信号を前記記録媒体に記録する工程と、を含むことを特徴とする画像記録方法。
【請求項２４】
前記入力画像データに付随する付加情報を取得する工程と、
取得した前記付加情報に基づいて、少なくとも前記大域信号および前記詳細信号の生成条件を決定する大域・詳細信号決定工程と、を含むことを特徴とする請求項２３に記載の画像記録方法。
【請求項２５】
前記付加情報に基づいてローパスフィルター特性を決定し、決定されたローパスフィルター特性に基づいて前記大域信号と詳細信号とを生成することを特徴とする請求項２４に記載の画像記録方法。
【請求項２６】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも該大域信号に変換処理を施して変換大域信号とする工程と、
該変換大域信号と該大域信号から差分大域信号を生成する工程と、
少なくとも該詳細信号に変換処理を施し変換詳細信号を生成する工程と、
該詳細信号と該変換詳細信号から差分詳細信号を生成する工程と、
少なくとも該変換大域信号と該差分大域信号と該変換詳細信号と該差分詳細信号を前記記録媒体に記録する工程と、を含むことを特徴とする画像記録方法。
【請求項２７】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも該大域信号に変換処理を施して変換大域信号とする工程と、
該変換大域信号と該大域信号から差分大域信号を生成する工程と、
該変換大域信号と該詳細信号を用いて鑑賞画像参照データを生成する工程と、
少なくとも該鑑賞画像参照データと該変換大域信号と該差分大域信号と該詳細信号を前記記録媒体に記録する工程と、を含むことを特徴とする画像記録方法。
【請求項２８】
入力画像データに出力媒体上での鑑賞画像形成のために最適化する画像処理を施して、鑑賞画像参照データを生成するための画像データを記録媒体に記録する画像記録方法において、
前記入力画像データから大域信号と詳細信号を生成する工程と、
少なくとも該大域信号に変換処理を施して変換大域信号とする工程と、
該変換大域信号と該大域信号から差分大域信号を生成する工程と、
少なくとも該詳細信号に変換処理を施して変換詳細信号を生成する工程と、
該詳細信号と該変換詳細信号から差分詳細信号を生成する工程と、
該変換大域信号と該変換詳細信号を用いて鑑賞画像参照データを生成する工程と、
少なくとも該鑑賞画像参照データと該変換大域信号と該差分大域信号と該変換詳細信号と該差分詳細信号を前記記録媒体に記録する工程と、を含むことを特徴とする画像記録方法。
【請求項２９】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号に変換処理を施して変換大域輝度信号とする工程と、
該変換大域輝度信号と該大域輝度信号から差分大域輝度信号を生成する工程と、
少なくとも該変換大域輝度信号と該差分大域輝度信号と該詳細輝度信号と該入力色信号を前記記録媒体に記録する工程と、を含むことを特徴とする画像記録方法。
【請求項３０】
前記入力画像データに付随する付加情報を取得する工程と、
取得した前記付加情報に基づいて、少なくとも前記大域輝度信号および前記詳細輝度信号の生成条件を決定する大域・詳細輝度信号生成条件決定工程と、を含むことを特徴とする請求項２９に記載の画像記録方法。
【請求項３１】
前記付加情報に基づいてローパスフィルター特性を決定し、決定されたローパスフィルター特性に基づいて前記大域輝度信号と詳細輝度信号とを生成することを特徴とする請求項３０に記載の画像記録方法。
【請求項３２】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号に変換処理を施して変換大域輝度信号とする工程と、
該変換大域輝度信号と該大域輝度信号から差分大域輝度信号を生成する工程と、
少なくとも該詳細輝度信号に変換処理を施して変換詳細輝度信号とする工程と、
該変換詳細輝度信号と該大域輝度信号から差分詳細輝度信号を生成する工程と、
少なくとも該変換大域輝度信号と該差分大域輝度信号と該変換詳細輝度信号と該差分詳細輝度信号と該入力色信号を前記記録媒体に記録する工程と、を含むことを特徴とする画像記録方法。
【請求項３３】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号に変換処理を施して変換大域輝度信号とする工程と、
該変換大域輝度信号と該大域輝度信号から差分大域輝度信号を生成する工程と、
少なくとも該入力色信号に変換処理を施して変換入力色信号とする工程と、
該変換入力色信号と該入力色信号から差分入力色信号を生成する工程と、
少なくとも該変換大域輝度信号と該差分大域輝度信号と該詳細輝度信号と該変換入力色信号と該差分入力色信号を前記記録媒体に記録する工程と、を含むことを特徴とする画像記録方法。
【請求項３４】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号に変換処理を施して変換大域輝度信号とする工程と、
該変換大域輝度信号と該大域輝度信号から差分大域輝度信号を生成する工程と、
少なくとも該変換大域輝度信号と該詳細輝度信号と該入力色信号を用いて鑑賞画像参照データを生成する工程と、
少なくとも該鑑賞画像参照データと該変換大域輝度信号と該差分大域輝度信号と該該詳細輝度信号と該入力色信号を前記記録媒体に記録する工程と、を含むことを特徴とする画像記録方法。
【請求項３５】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号に変換処理を施して変換大域輝度信号とする工程と、
該変換大域輝度信号と該大域輝度信号から差分大域輝度信号を生成する工程と、
少なくとも詳細輝度信号に変換処理を施して変換詳細輝度信号とする工程と、
該変換詳細輝度信号と該大域輝度信号から差分詳細輝度信号を生成する工程と、
少なくとも該変換大域輝度信号と該変換詳細輝度信号と該入力色信号を用いて鑑賞画像参照データを生成する工程と、
少なくとも該鑑賞画像参照データと該変換大域輝度信号と該差分大域輝度信号と該変換該詳細輝度信号と該差分詳細輝度信号と該入力色信号を前記記録媒体に記録する工程と、を含むことを特徴とする画像記録方法。
【請求項３６】
入力画像データに出力媒体上での鑑賞画像形成のために最適化する画像処理を施して、鑑賞画像参照データを生成するための画像データを記録媒体に記録する画像記録方法において、
前記入力画像データから入力輝度信号と入力色信号を生成する工程と、
該入力輝度信号から大域輝度信号と詳細輝度信号を生成する工程と、
少なくとも該大域輝度信号に変換処理を施して変換大域輝度信号とする工程と、
該変換大域輝度信号と該大域輝度信号から差分大域輝度信号を生成する工程と、
少なくとも該入力色信号に変換処理を施して変換入力色信号とする工程と、
該変換入力色信号と該入力色信号から差分入力色信号を生成する工程と、
少なくとも該変換大域輝度信号と該詳細輝度信号と該変換入力色信号を用いて鑑賞画像参照データを生成する工程と、
少なくとも該変換大域輝度信号と該差分大域輝度信号と該詳細輝度信号と該変換入力色信号と該差分入力色信号を前記記録媒体に記録する工程と、を含むことを特徴とする画像記録方法。
【請求項３７】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号に変換処理を施して色変換−変換大域輝度信号とする工程と、
該色変換大域輝度信号と該色変換−変換大域輝度信号から色変換−差分大域輝度信号を生成する工程と、
少なくとも該色変換−変換大域輝度信号と該色変換−差分大域輝度信号と該色変換詳細輝度信号と該色変換入力色信号を前記記録媒体に記録する工程と、を含むことを特徴とする画像記録方法。
【請求項３８】
前記入力画像データに付随する付加情報を取得する工程と、
取得した前記付加情報に基づいて、少なくとも前記色変換大域輝度信号および前記色変換詳細輝度信号の生成条件を決定する色変換大域・詳細輝度信号生成条件決定工程と、を含むことを特徴とする請求項３７に記載の画像記録方法。
【請求項３９】
前記付加情報に基づいてローパスフィルター特性を決定し、決定されたローパスフィルター特性に基づいて前記色変換大域輝度信号と色変換詳細輝度信号とを生成することを特徴とする請求項３８に記載の画像記録方法。
【請求項４０】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号に変換処理を施して色変換−変換大域輝度信号とする工程と、
該色変換大域輝度信号と該色変換−変換大域輝度信号から該色変換−差分大域輝度信号を生成する工程と、
少なくとも該色変換詳細輝度信号に変換処理を施して色変換−変換詳細輝度信号とする工程と、
該色変換詳細輝度信号と該色変換−変換詳細輝度信号から色変換−差分詳細輝度信号を生成する工程と、
少なくとも該色変換−変換大域輝度信号と該色変換−差分大域輝度信号と該色変換−変換詳細輝度信号と該色変換−差分詳細輝度信号と該色変換入力色信号を前記記録媒体に記録する工程と、を含むことを特徴とする画像記録方法。
【請求項４１】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号に変換処理を施して色変換−変換大域輝度信号とする工程と、
該色変換大域輝度信号と該色変換−変換大域輝度信号から色変換−差分大域輝度信号を生成する工程と、
該色変換入力色信号に変換処理を施して色変換−変換入力色信号を生成する工程と、
該色変換入力色信号と該色変換−変換入力色信号を用いて色変換−差分入力色信号を生成する工程と、
少なくとも該色変換−変換大域輝度信号と該色変換−差分大域輝度信号と該色変換詳細輝度信号と該色変換−変換入力色信号と該色変換−差分入力色信号を前記記録媒体に記録する工程と、を含むことを特徴とする画像記録方法。
【請求項４２】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号に変換処理を施して色変換−変換大域輝度信号とする工程と、
該色変換大域輝度信号と該色変換−変換大域輝度信号から色変換−差分大域輝度信号を生成する工程と、
該色変換−変換大域輝度信号と該色変換詳細輝度信号と該色変換入力色信号から鑑賞画像参照データを生成する工程と、
少なくとも該鑑賞画像参照データと該色変換−変換大域輝度信号と該色変換−差分大域輝度信号と該色変換詳細輝度信号と該色変換入力色信号を前記記録媒体に記録する工程と、を含むことを特徴とする画像記録方法。
【請求項４３】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号に変換処理を施して色変換−変換大域輝度信号とする工程と、
該色変換大域輝度信号と該色変換−変換大域輝度信号から該色変換−差分大域輝度信号を生成する工程と、
少なくとも該色変換詳細輝度信号に変換処理を施して色変換−変換詳細輝度信号とする工程と、
該色変換詳細輝度信号と該色変換−変換詳細輝度信号から色変換−差分詳細輝度信号を生成する工程と、
該色変換−変換大域輝度信号と該色変換−変換詳細輝度信号と該色変換入力色信号から鑑賞画像参照データを生成する工程と、
少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する工程と、を含むことを特徴とする画像記録方法。
【請求項４４】
入力画像データに出力媒体上での鑑賞画像形成のために最適化する画像処理を施して、鑑賞画像参照データを生成するための画像データを記録媒体に記録する画像記録方法において、
前記入力画像データに色域変換処理を施した後に色変換入力輝度信号と色変換入力色信号を生成する工程と、
該色変換入力輝度信号から色変換大域輝度信号と色変換詳細輝度信号を生成する工程と、
少なくとも該色変換大域輝度信号に変換処理を施して色変換−変換大域輝度信号とする工程と、
該色変換大域輝度信号と該色変換−変換大域輝度信号から色変換−差分大域輝度信号を生成する工程と、
該色変換入力色信号に変換処理を施して色変換−変換入力色信号を生成する工程と、
該色変換入力色信号と該色変換−変換入力色信号を用いて色変換−差分入力色信号を生成する工程と、
該色変換−変換大域輝度信号と該色変換詳細輝度信号と該色変換−変換入力色信号から鑑賞画像参照データを生成する工程と、
少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する工程と、を含むことを特徴とする画像記録方法。
【請求項４５】
前記大域信号は前記入力画像データの低周波成分で構成され、前記詳細信号は前記入力画像データの高周波成分で構成されることを特徴とする請求項１〜６及び請求項２３〜２８の何れか一項に記載の画像記録方法。
【請求項４６】
前記大域信号は前記入力画像データの低周波成分とエッジ成分で構成され、前記詳細信号は前記入力画像データの高周波成分からエッジ成分を除いた成分で構成されることを特徴とする請求項１〜６及び請求項２３〜２８の何れか一項に記載の画像記録方法。
【請求項４７】
前記大域信号および／または前記詳細信号は、前記入力画像データに周波数帯域分解処理を施して生成されることを特徴とする請求項１〜６及び請求項２３〜２８の何れか一項に記載の画像記録方法。
【請求項４８】
前記大域信号および／または前記詳細信号は、前記入力画像データにウェーブレット変換処理を施して生成されることを特徴とする請求項１〜６及び請求項２３〜２８の何れか一項に記載の画像記録方法。
【請求項４９】
前記大域信号に施される変換処理が、階調変換処理であることを特徴とする請求項２３〜２８の何れか一項に記載の画像記録方法。
【請求項５０】
前記階調変換処理が非線形変換処理であることを特徴とする請求項４９記載の画像記録方法。
【請求項５１】
前記大域輝度信号は入力輝度成分の低周波成分で構成され、前記詳細輝度信号は入力輝度成分の高周波成分で構成されることを特徴とする請求項７〜１４及び請求項２９〜３６の何れか一項に記載の画像記録方法。
【請求項５２】
前記大域輝度信号は入力輝度成分の低周波成分とエッジ成分で構成され、前記詳細輝度信号は入力輝度成分の高周波成分からエッジ成分を除いた成分で構成されることを特徴とする請求項７〜１４及び請求項２９〜３６の何れか一項に記載の画像記録方法。
【請求項５３】
前記大域輝度信号および／または前記詳細輝度信号は、前記入力画像データに周波数帯域分解処理を施して生成されることを特徴とする請求項７〜１４及び請求項２９〜３６の何れか一項に記載の画像記録方法。
【請求項５４】
前記大域輝度信号および／または前記詳細輝度信号は、前記入力画像データにウェーブレット変換処理を施して生成されることを特徴とする請求項７〜１４及び請求項２９〜３６の何れか一項に記載の画像記録方法。
【請求項５５】
前記大域輝度信号に施される変換処理が、階調変換処理であることを特徴とする請求項２９〜３６の何れか一項に記載の画像記録方法。
【請求項５６】
前記階調変換処理が非線形変換処理であることを特徴とする請求項５５記載の画像記録方法。
【請求項５７】
前記色変換大域輝度信号は前記色変換入力輝度信号の低周波成分で構成され、前記色変換詳細輝度信号は前記色変換入力輝度信号の高周波成分で構成されることを特徴とする請求項１５〜２２及び請求項３７〜４４の何れか一項に記載の画像記録方法。
【請求項５８】
前記色変換大域輝度信号は前記色変換入力輝度信号の低周波成分とエッジ成分で構成され、前記色変換詳細輝度信号は前記色変換入力輝度信号の高周波成分からエッジ成分を除いた成分で構成されることを特徴とする請求項１５〜２２及び請求項３７〜４４の何れか一項に記載の画像記録方法。
【請求項５９】
前記色変換大域輝度信号および／または前記色変換詳細輝度信号は、前記色変換入力輝度信号に周波数帯域分解処理を施して生成されることを特徴とする請求項１５〜２２及び請求項３７〜４４の何れか一項に記載の画像記録方法。
【請求項６０】
前記色変換大域輝度信号および／または前記色変換詳細輝度信号は、前記色変換入力輝度信号にウェーブレット変換処理を施して生成されることを特徴とする請求項１５〜２２及び請求項３７〜４４の何れか一項に記載の画像記録方法。
【請求項６１】
前記色変換大域輝度信号に施される変換処理が、階調変換処理であることを特徴とする請求項３７〜４４の何れか一項に記載の画像記録方法。
【請求項６２】
前記階調変換処理が非線形変換処理であることを特徴とする請求項６１記載の画像記録方法。
【請求項６３】
前記鑑賞画像参照データが出力装置の特性に依存するものであることを特徴とする請求項１〜６２の何れか一項に記載の画像記録方法。
【請求項６４】
請求項１〜６３の何れか一項に記載の画像記録方法において、記録する信号またはデータを前記記録媒体に別ファイルとして記録することを特徴とする画像記録方法。
【請求項６５】
請求項１〜６３の何れか一項に記載の画像記録方法において、記録する信号またはデータを、前記記録媒体内の同一のファイルに記録することを特徴とする画像記録方法。
【請求項６６】
請求項１〜６３の何れか一項に記載の画像記録方法において、記録する信号またはデータのうち少なくとも一つの信号またはデータをメタデータとして、前記記録媒体内の同一のファイルに記録することを特徴とする画像記録方法。
【請求項６７】
請求項６４〜６６の何れか一項に記載の画像記録方法において、複数の信号またはデータを同一の記録媒体に記録することを特徴とする画像記録方法。
【請求項６８】
請求項６４〜６６の何れか一項に記載の画像記録方法において、複数の信号またはデータを異なる記録媒体に記録することを特徴とする画像記録方法。
【請求項６９】
請求項６４〜６８の何れか一項に記載の画像記録方法において、複数の信号またはデータのうち、少なくともひとつの信号またはデータと、画像の編集作業を行うことが可能なアプリケーションを同一の記録媒体に記録することを特徴とする画像記録方法。
【請求項７０】
請求項６４〜６９の何れか一項に記載の画像記録方法において、複数の信号またはデータのうち、少なくともひとつの信号またはデータと、画像の編集作業を行うことが可能なアプリケーションを補強することを目的とするファイルを、同一の記録媒体に記録することを特徴とする画像記録方法。
【請求項７１】
入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成する生成手段と、
少なくとも該大域信号と該詳細信号を前記記録媒体に記録する記録手段と、を備えたことを特徴とする画像記録装置。
【請求項７２】
入力画像データに出力媒体上での鑑賞画像形成のために最適化する画像処理を施して鑑賞画像参照データを生成する画像処理方法において、
前記入力画像データから少なくとも大域信号と詳細信号を取得する工程と、
少なくとも取得した該大域信号と該詳細信号を用いて前記鑑賞画像参照データを生成する工程と、を含むことを特徴とする画像処理方法。
【請求項７３】
入力画像データに出力媒体上での鑑賞画像形成のために最適化する画像処理を施して鑑賞画像参照データを生成する画像処理装置において、
前記入力画像データから少なくとも大域信号と詳細信号を取得する取得手段と、
少なくとも取得した該大域信号と該詳細信号を用いて前記鑑賞画像参照データを生成する生成手段と、を備えたことを特徴とする画像処理装置。
【請求項７４】
入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該大域信号と該詳細信号を前記記録媒体に記録する機能と、
を含むプログラムを記録したことを特徴とする記録媒体。
【請求項７５】
入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該大域信号と該詳細信号を前記記録媒体に記録する機能と、を実現させるためのプログラム。
【手続補正２】
【補正対象書類名】明細書
【補正対象項目名】００１７
【補正方法】変更
【補正の内容】
【００１７】
また、前記入力画像データに付随する付加情報を取得する手段と、
取得した前記付加情報に基づいて前記大域信号および前記詳細信号の生成条件を決定する大域・詳細信号生成条件決定手段と、を備えてもよい。
【手続補正３】
【補正対象書類名】明細書
【補正対象項目名】００１８
【補正方法】変更
【補正の内容】
【００１８】
また、前記付加情報に基づいてローパスフィルター特性を決定し、決定されたローパスフィルター特性に基づいて前記大域信号と前記詳細信号とを生成してもよい。
【手続補正４】
【補正対象書類名】明細書
【補正対象項目名】００１９
【補正方法】変更
【補正の内容】
【００１９】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成し、少なくとも該詳細信号に詳細変換処理を施して変換詳細信号とするとともに、該詳細信号と該変換詳細信号を用いて差分詳細信号を生成する生成手段と、
少なくとも該大域信号と該変換詳細信号と該差分詳細信号を前記記録媒体に記録する記録手段と、を備えてもよい。
【手続補正５】
【補正対象書類名】明細書
【補正対象項目名】００２０
【補正方法】変更
【補正の内容】
【００２０】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成するとともに、該大域信号と該詳細信号から鑑賞画像参照データを生成する生成手段と、
少なくとも該大域信号と該詳細信号と鑑賞画像参照データを前記記録媒体に記録する記録手段と、を備えてもよい。
【手続補正６】
【補正対象書類名】明細書
【補正対象項目名】００２１
【補正方法】変更
【補正の内容】
【００２１】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成し、少なくとも詳細信号に詳細変換処理を施して変換詳細信号とし、該詳細信号と該変換詳細信号を用いて差分詳細信号を生成するとともに、該大域信号と該変換詳細信号から鑑賞画像参照データを生成する生成手段と、
少なくとも該大域信号と該変換詳細信号と該差分詳細信号と該鑑賞画像参照データを前記記録媒体に記録する記録手段と、を備えてもよい。
【手続補正７】
【補正対象書類名】明細書
【補正対象項目名】００２２
【補正方法】変更
【補正の内容】
【００２２】
また、請求項７２記載の発明は、
入力画像データに出力媒体上での鑑賞画像形成のために最適化する画像処理を施して鑑賞画像参照データを生成する画像処理方法において、
前記入力画像データから少なくとも大域信号と詳細信号を取得する工程と、
少なくとも取得した該大域信号と該詳細信号を用いて前記鑑賞画像参照データを生成する工程と、を含むことを特徴としている。
【手続補正８】
【補正対象書類名】明細書
【補正対象項目名】００２３
【補正方法】変更
【補正の内容】
【００２３】
また、前記入力画像データに付随する付加情報を取得する工程と、
取得した前記付加情報に基づいて前記大域信号および前記詳細信号の生成条件を決定する大域・詳細信号生成条件決定工程と、を含んでもよい。
【手続補正９】
【補正対象書類名】明細書
【補正対象項目名】００２４
【補正方法】変更
【補正の内容】
【００２４】
また、前記付加情報に基づいてローパスフィルター特性を決定し、決定されたローパスフィルター特性に基づいて前記大域信号と前記詳細信号とを生成してもよい。
【手続補正１０】
【補正対象書類名】明細書
【補正対象項目名】００２５
【補正方法】変更
【補正の内容】
【００２５】
また、入力画像データに出力媒体上での鑑賞画像形成のために最適化する画像処理を施して鑑賞画像参照データを生成する画像処理方法において、
前記入力画像データから少なくとも大域信号と変換詳細信号と差分詳細信号を取得する工程と、
少なくとも取得した該大域信号と該変換詳細信号と該差分詳細信号を用いて前記鑑賞画像参照データを生成する工程と、を含んでもよい。
【手続補正１１】
【補正対象書類名】明細書
【補正対象項目名】００２６
【補正方法】変更
【補正の内容】
【００２６】
また、入力画像データに出力媒体上での鑑賞画像形成のために最適化する画像処理を施して鑑賞画像参照データを生成する画像処理方法において、
前記入力画像データから少なくとも鑑賞画像参照データと大域信号と詳細信号を取得する工程と、
少なくとも取得した該鑑賞画像参照データと該大域信号と該詳細信号を用いて改変された鑑賞画像参照データを生成する工程と、を含んでもよい。
【手続補正１２】
【補正対象書類名】明細書
【補正対象項目名】００２７
【補正方法】変更
【補正の内容】
【００２７】
また、入力画像データに出力媒体上での鑑賞画像形成のために最適化する画像処理を施して鑑賞画像参照データを生成する画像処理方法において、
前記入力画像データから少なくとも鑑賞画像参照データと大域信号と変換詳細信号と差分詳細信号を取得する工程と、
少なくとも取得した該鑑賞画像参照データと該大域信号と該変換詳細信号と該差分詳細信号を用いて改変された鑑賞画像参照データを生成する工程と、を含んでもよい。
【手続補正１３】
【補正対象書類名】明細書
【補正対象項目名】００２８
【補正方法】変更
【補正の内容】
【００２８】
また、請求項７３記載の発明は、
入力画像データに出力媒体上での鑑賞画像形成のために最適化する画像処理を施して鑑賞画像参照データを生成する画像処理装置において、
前記入力画像データから少なくとも大域信号と詳細信号を取得する取得手段と、
少なくとも取得した該大域信号と該詳細信号を用いて前記鑑賞画像参照データを生成する生成手段と、を備えたことを特徴としている。
【手続補正１４】
【補正対象書類名】明細書
【補正対象項目名】００２９
【補正方法】変更
【補正の内容】
【００２９】
また、前記入力画像データに付随する付加情報を取得する手段と、
取得した前記付加情報に基づいて前記大域信号および前記詳細信号の生成条件を決定する大域・詳細信号生成条件決定手段と、を備えてもよい。
【手続補正１５】
【補正対象書類名】明細書
【補正対象項目名】００３０
【補正方法】変更
【補正の内容】
【００３０】
また、前記付加情報に基づいてローパスフィルター特性を決定し、決定されたローパスフィルター特性に基づいて前記大域信号と前記詳細信号とを生成してもよい。
【手続補正１６】
【補正対象書類名】明細書
【補正対象項目名】００３１
【補正方法】変更
【補正の内容】
【００３１】
また、入力画像データに出力媒体上での鑑賞画像形成のために最適化する画像処理を施して鑑賞画像参照データを生成する画像処理装置において、
前記入力画像データから少なくとも大域信号と変換詳細信号と差分詳細信号を取得する取得手段と、
少なくとも取得した該大域信号と該変換詳細信号と該差分詳細信号を用いて前記鑑賞画像参照データを生成する生成手段と、を備えてもよい。
【手続補正１７】
【補正対象書類名】明細書
【補正対象項目名】００３２
【補正方法】変更
【補正の内容】
【００３２】
また、入力画像データに出力媒体上での鑑賞画像形成のために最適化する画像処理を施して鑑賞画像参照データを生成する画像処理装置において、
前記入力画像データから少なくとも鑑賞画像参照データと大域信号と詳細信号を取得する取得手段と、
少なくとも取得した該鑑賞画像参照データと該大域信号と該詳細信号を用いて改変された鑑賞画像参照データを生成する生成手段と、を備えてもよい。
【手続補正１８】
【補正対象書類名】明細書
【補正対象項目名】００３３
【補正方法】変更
【補正の内容】
【００３３】
また、入力画像データに出力媒体上での鑑賞画像形成のために最適化する画像処理を施して鑑賞画像参照データを生成する画像処理装置において、
前記入力画像データから少なくとも鑑賞画像参照データと大域信号と変換詳細信号と差分詳細信号を取得する取得手段と、
少なくとも取得した該鑑賞画像参照データと該大域信号と該変換詳細信号と該差分詳細信号を用いて改変された鑑賞画像参照データを生成する生成手段と、を備えてもよい。
【手続補正１９】
【補正対象書類名】明細書
【補正対象項目名】００３４
【補正方法】変更
【補正の内容】
【００３４】
また、請求項７４記載の発明は、
入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該大域信号と該詳細信号を前記記録媒体に記録する機能と、
を含むプログラムを記録したことを特徴としている。
【手続補正２０】
【補正対象書類名】明細書
【補正対象項目名】００３５
【補正方法】変更
【補正の内容】
【００３５】
また、前記プログラムは、
前記入力画像データに付随する付加情報を取得する機能と、
取得した前記付加情報に基づいて前記大域信号および前記詳細信号の生成条件を決定する機能と、を含んでもよい。
【手続補正２１】
【補正対象書類名】明細書
【補正対象項目名】００３６
【補正方法】変更
【補正の内容】
【００３６】
また、前記プログラムにおいて、前記付加情報に基づいてローパスフィルター特性が決定され、決定されたローパスフィルター特性に基づいて前記大域信号と前記詳細信号とが生成されてもよい。
【手続補正２２】
【補正対象書類名】明細書
【補正対象項目名】００３７
【補正方法】変更
【補正の内容】
【００３７】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該詳細信号に詳細変換処理を施して変換詳細信号とする機能と、
該詳細信号と該変換詳細信号を用いて差分詳細信号を生成する機能と、
少なくとも該大域信号と該変換詳細信号と該差分詳細信号を前記記録媒体に記録する機能と、
を含むプログラムを記録してもよい。
【手続補正２３】
【補正対象書類名】明細書
【補正対象項目名】００３８
【補正方法】変更
【補正の内容】
【００３８】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
該大域信号と該詳細信号から鑑賞画像参照データを生成する機能と、
少なくとも該大域信号と該詳細信号と鑑賞画像参照データを前記記録媒体に記録する機能と、
を含むプログラムを記録してもよい。
【手続補正２４】
【補正対象書類名】明細書
【補正対象項目名】００３９
【補正方法】変更
【補正の内容】
【００３９】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも詳細信号に詳細変換処理を施して変換詳細信号とする機能と、
該詳細信号と該変換詳細信号を用いて差分詳細信号を生成する機能と、
該大域信号と該変換詳細信号から鑑賞画像参照データを生成する機能と、
少なくとも該大域信号と該変換詳細信号と該差分詳細信号と該鑑賞画像参照データを前記記録媒体に記録する機能と、
を含むプログラムを記録してもよい。
【手続補正２５】
【補正対象書類名】明細書
【補正対象項目名】００４０
【補正方法】変更
【補正の内容】
【００４０】
また、入力画像データに出力媒体上での鑑賞画像形成のために最適化する画像処理を施して鑑賞画像参照データを生成する処理を実行させるためのプログラムを記録したコンピュータ読み取り可能な記録媒体であって、
前記入力画像データから少なくとも大域信号と詳細信号を取得する機能と、
少なくとも取得した該大域信号と該詳細信号を用いて前記鑑賞画像参照データを生成する機能と、
を含むプログラムを記録してもよい。
【手続補正２６】
【補正対象書類名】明細書
【補正対象項目名】００４１
【補正方法】変更
【補正の内容】
【００４１】
また、前記プログラムは、
前記入力画像データに付随する付加情報を取得する機能と、
取得した前記付加情報に基づいて前記大域信号および前記詳細信号の生成条件を決定する機能と、を含んでもよい。
【手続補正２７】
【補正対象書類名】明細書
【補正対象項目名】００４２
【補正方法】変更
【補正の内容】
【００４２】
また、前記プログラムにおいて、前記付加情報に基づいてローパスフィルター特性が決定され、決定されたローパスフィルター特性に基づいて前記大域信号と前記詳細信号とが生成されてもよい。
【手続補正２８】
【補正対象書類名】明細書
【補正対象項目名】００４３
【補正方法】変更
【補正の内容】
【００４３】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも大域信号と変換詳細信号と差分詳細信号を取得する機能と、
少なくとも取得した該大域信号と該変換詳細信号と該差分詳細信号を用いて前記鑑賞画像参照データを生成する機能と、
を含むプログラムを記録してもよい。
【手続補正２９】
【補正対象書類名】明細書
【補正対象項目名】００４４
【補正方法】変更
【補正の内容】
【００４４】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと大域信号と詳細信号を取得する機能と、
少なくとも取得した該鑑賞画像参照データと該大域信号と該詳細信号を用いて改変された鑑賞画像参照データを生成する機能と、
を含むプログラムを記録してもよい。
【手続補正３０】
【補正対象書類名】明細書
【補正対象項目名】００４５
【補正方法】変更
【補正の内容】
【００４５】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと大域信号と変換詳細信号と差分詳細信号を取得する機能と、
少なくとも取得した該鑑賞画像参照データと該大域信号と該変換詳細信号と該差分詳細信号を用いて改変された鑑賞画像参照データを生成する機能と、
を含むプログラムを記録してもよい。
【手続補正３１】
【補正対象書類名】明細書
【補正対象項目名】００４６
【補正方法】変更
【補正の内容】
【００４６】
また、請求項７５記載の発明は、
入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該大域信号と該詳細信号を前記記録媒体に記録する機能と、を実現させるためのプログラムであることを特徴としている。
【手続補正３２】
【補正対象書類名】明細書
【補正対象項目名】００４７
【補正方法】変更
【補正の内容】
【００４７】
また、前記コンピュータに、
前記入力画像データに付随する付加情報を取得する機能と、
取得した前記付加情報に基づいて前記大域信号および前記詳細信号の生成条件を決定する機能と、を実現させてもよい。
【手続補正３３】
【補正対象書類名】明細書
【補正対象項目名】００４８
【補正方法】変更
【補正の内容】
【００４８】
また、前記付加情報に基づいてローパスフィルター特性が決定され、決定されたローパスフィルター特性に基づいて前記大域信号と前記詳細信号とが生成されてもよい。
【手続補正３４】
【補正対象書類名】明細書
【補正対象項目名】００４９
【補正方法】変更
【補正の内容】
【００４９】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該詳細信号に詳細変換処理を施して変換詳細信号とする機能と、
該詳細信号と該変換詳細信号を用いて差分詳細信号を生成する機能と、
少なくとも該大域信号と該変換詳細信号と該差分詳細信号を前記記録媒体に記録する機能と、を実現させるためのプログラムであってもよい。
【手続補正３５】
【補正対象書類名】明細書
【補正対象項目名】００５０
【補正方法】変更
【補正の内容】
【００５０】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
該大域信号と該詳細信号から鑑賞画像参照データを生成する機能と、
少なくとも該大域信号と該詳細信号と鑑賞画像参照データを前記記録媒体に記録する機能と、を実現させるためのプログラムであってもよい。
【手続補正３６】
【補正対象書類名】明細書
【補正対象項目名】００５１
【補正方法】変更
【補正の内容】
【００５１】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも詳細信号に詳細変換処理を施して変換詳細信号とする機能と、
該詳細信号と該変換詳細信号を用いて差分詳細信号を生成する機能と、
該大域信号と該変換詳細信号から鑑賞画像参照データを生成する機能と、
少なくとも該大域信号と該変換詳細信号と該差分詳細信号と該鑑賞画像参照データを前記記録媒体に記録する機能と、を実現させるためのプログラムであってもよい。
【手続補正３７】
【補正対象書類名】明細書
【補正対象項目名】００５２
【補正方法】変更
【補正の内容】
【００５２】
また、入力画像データに出力媒体上での鑑賞画像形成のために最適化する画像処理を施して鑑賞画像参照データを生成する処理を実行するためのコンピュータに、
前記入力画像データから少なくとも大域信号と詳細信号を取得する機能と、
少なくとも取得した該大域信号と該詳細信号を用いて前記鑑賞画像参照データを生成する機能と、を実現させるためのプログラムであってもよい。
【手続補正３８】
【補正対象書類名】明細書
【補正対象項目名】００５３
【補正方法】変更
【補正の内容】
【００５３】
また、前記コンピュータに、
前記入力画像データに付随する付加情報を取得する機能と、
取得した前記付加情報に基づいて前記大域信号および前記詳細信号の生成条件を決定する機能と、を実現させてもよい。
【手続補正３９】
【補正対象書類名】明細書
【補正対象項目名】００５４
【補正方法】変更
【補正の内容】
【００５４】
また、前記付加情報に基づいてローパスフィルター特性が決定され、決定されたローパスフィルター特性に基づいて前記大域信号と前記詳細信号とが生成されてもよい。
【手続補正４０】
【補正対象書類名】明細書
【補正対象項目名】００５５
【補正方法】変更
【補正の内容】
【００５５】
また、入力画像データに出力媒体上での鑑賞画像形成のために最適化する画像処理を施して鑑賞画像参照データを生成するための処理を実行するためのコンピュータに、
前記入力画像データから少なくとも大域信号と変換詳細信号と差分詳細信号を取得する機能と、
少なくとも取得した該大域信号と該変換詳細信号と該差分詳細信号を用いて前記鑑賞画像参照データを生成する機能と、を実現させるためのプログラムであってもよい。
【手続補正４１】
【補正対象書類名】明細書
【補正対象項目名】００５６
【補正方法】変更
【補正の内容】
【００５６】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと大域信号と詳細信号を取得する機能と、
少なくとも取得した該鑑賞画像参照データと該大域信号と該詳細信号を用いて改変された鑑賞画像参照データを生成する機能と、を実現させるためのプログラムであってもよい。
【手続補正４２】
【補正対象書類名】明細書
【補正対象項目名】００５７
【補正方法】変更
【補正の内容】
【００５７】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと大域信号と変換詳細信号と差分詳細信号を取得する機能と、
少なくとも取得した該鑑賞画像参照データと該大域信号と該変換詳細信号と該差分詳細信号を用いて改変された鑑賞画像参照データを生成する機能と、を実現させるためのプログラムであってもよい。
【手続補正４３】
【補正対象書類名】明細書
【補正対象項目名】００５８
【補正方法】変更
【補正の内容】
【００５８】
請求項１〜６記載の画像記録方法、請求項７１記載の画像記録装置、請求項７２記載の画像処理方法、請求項７３記載の画像処理装置、請求項７４記載の記録媒体、請求項７５記載のプログラムにより構成される第１の発明群の第１の特徴は、入力画像データから大域信号と詳細信号を生成し、生成された信号のうち少なくとも大域信号を記録媒体に記録することである。
【手続補正４４】
【補正対象書類名】明細書
【補正対象項目名】００５９
【補正方法】変更
【補正の内容】
【００５９】
特に、請求項１記載の画像記録方法、請求項７１記載の画像記録装置、請求項７２記載の画像処理方法、請求項７３記載の画像処理装置、請求項７４記載の記録媒体、請求項７５記載のプログラムにおいて、入力画像データに付随する付加情報を取得し、取得した付加情報に基づいて大域信号と詳細信号の生成条件を決定することが好ましい。
【手続補正４５】
【補正対象書類名】明細書
【補正対象項目名】００６０
【補正方法】変更
【補正の内容】
【００６０】
請求項１〜６記載の画像記録方法、請求項７１記載の画像記録装置、請求項７２記載の画像処理方法、請求項７３記載の画像処理装置、請求項７４記載の記録媒体、請求項７５記載のプログラムにより構成される第１の発明群においては、少なくとも大域信号と詳細信号を記録することが好ましい。
【手続補正４６】
【補正対象書類名】明細書
【補正対象項目名】００８７
【補正方法】変更
【補正の内容】
【００８７】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成するとともに、該入力輝度信号から大域輝度信号と詳細輝度信号を生成する生成手段と、
少なくとも該大域輝度信号と該詳細輝度信号と該入力色信号を前記記録媒体に記録する記録手段と、を備えてもよい。
【手続補正４７】
【補正対象書類名】明細書
【補正対象項目名】００８８
【補正方法】変更
【補正の内容】
【００８８】
また、前記入力画像データに付随する付加情報を取得する手段と、
取得した前記付加情報に基づいて前記大域輝度信号および前記詳細輝度信号の生成条件を決定する大域・詳細輝度信号生成条件決定手段と、を備えてもよい。
【手続補正４８】
【補正対象書類名】明細書
【補正対象項目名】００８９
【補正方法】変更
【補正の内容】
【００８９】
また、前記付加情報に基づいてローパスフィルター特性を決定し、決定されたローパスフィルター特性に基づいて前記大域輝度信号と前記詳細輝度信号とを生成してもよい。
【手続補正４９】
【補正対象書類名】明細書
【補正対象項目名】００９０
【補正方法】変更
【補正の内容】
【００９０】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも詳細輝度信号に詳細変換処理を施して変換詳細輝度信号とするとともに、該詳細輝度信号と該変換詳細輝度信号を用いて差分詳細輝度信号を生成する生成手段と、
少なくとも該大域輝度信号と該変換詳細輝度信号と該差分詳細輝度信号と該入力色信号を前記記録媒体に記録する記録手段と、を備えてもよい。
【手続補正５０】
【補正対象書類名】明細書
【補正対象項目名】００９１
【補正方法】変更
【補正の内容】
【００９１】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも入力色信号に色変換処理を施して変換入力色信号を生成するとともに、該入力色信号と該変換入力色信号から差分入力色信号を生成する生成手段と、
少なくとも該大域輝度信号と該詳細輝度信号と該変換入力色信号と該差分入力色信号を前記記録媒体に記録する記録手段と、を備えてもよい。
【手続補正５１】
【補正対象書類名】明細書
【補正対象項目名】００９２
【補正方法】変更
【補正の内容】
【００９２】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成するとともに、該大域輝度信号と該詳細輝度信号と該入力色信号から鑑賞画像参照データを生成する生成手段と、
少なくとも該鑑賞画像参照データと該大域輝度信号と該詳細輝度信号と該入力色信号を前記記録媒体に記録する記録手段と、を備えてもよい。
【手続補正５２】
【補正対象書類名】明細書
【補正対象項目名】００９３
【補正方法】変更
【補正の内容】
【００９３】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該詳細輝度信号に詳細変換処理を施して変換詳細輝度信号とし、該詳細輝度信号と該変換詳細輝度信号を用いて差分詳細輝度信号を生成するとともに、該大域輝度信号と変換詳細輝度信号と入力色信号から鑑賞画像参照データを生成する生成手段と、
少なくとも該鑑賞画像参照データと該大域輝度信号と該変換詳細輝度信号と該差分詳細輝度信号と該入力色信号を前記記録媒体に記録する記録手段と、を備えてもよい。
【手続補正５３】
【補正対象書類名】明細書
【補正対象項目名】００９４
【補正方法】変更
【補正の内容】
【００９４】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該入力色信号に色変換処理を施して変換入力色信号を生成し、該入力色信号と該変換入力色信号から差分入力色信号を生成するとともに、該大域輝度信号と該詳細輝度信号と該変換入力色信号から鑑賞画像参照データを生成する生成手段と、
少なくとも該鑑賞画像参照データと該大域輝度信号と該詳細輝度信号と該変換入力色信号と該差分入力色信号を前記記録媒体に記録する記録手段と、を備えてもよい。
【手続補正５４】
【補正対象書類名】明細書
【補正対象項目名】００９５
【補正方法】変更
【補正の内容】
【００９５】
また、入力画像データに出力媒体上での鑑賞画像形成のために最適化する画像処理を施して鑑賞画像参照データを生成する画像処理方法において、
前記入力画像データから少なくとも大域輝度信号と詳細輝度信号と入力色信号を取得する工程と、
少なくとも取得した該大域輝度信号と該詳細輝度信号と該入力色信号を用いて前記鑑賞画像参照データを生成する工程と、を含んでもよい。
【手続補正５５】
【補正対象書類名】明細書
【補正対象項目名】００９６
【補正方法】変更
【補正の内容】
【００９６】
また、前記入力画像データに付随する付加情報を取得する工程と、
取得した前記付加情報に基づいて前記大域輝度信号および前記詳細輝度信号の生成条件を決定する大域・詳細輝度信号生成条件決定工程と、を含んでもよい。
【手続補正５６】
【補正対象書類名】明細書
【補正対象項目名】００９７
【補正方法】変更
【補正の内容】
【００９７】
また、前記付加情報に基づいてローパスフィルター特性を決定し、決定されたローパスフィルター特性に基づいて前記大域輝度信号と前記詳細輝度信号とを生成してもよい。
【手続補正５７】
【補正対象書類名】明細書
【補正対象項目名】００９８
【補正方法】変更
【補正の内容】
【００９８】
また、入力画像データに出力媒体上での鑑賞画像形成のために最適化する画像処理を施して鑑賞画像参照データを生成する画像処理方法において、
前記入力画像データから少なくとも大域輝度信号と変換詳細輝度信号と差分詳細輝度信号と入力色信号を取得する工程と、
少なくとも取得した該大域輝度信号と該変換詳細輝度信号と該差分詳細輝度信号と該入力色信号を用いて前記鑑賞画像参照データを生成する工程と、を含んでもよい。
【手続補正５８】
【補正対象書類名】明細書
【補正対象項目名】００９９
【補正方法】変更
【補正の内容】
【００９９】
また、入力画像データに出力媒体上での鑑賞画像形成のために最適化する画像処理を施して鑑賞画像参照データを生成する画像処理方法において、
前記入力画像データから少なくとも大域輝度信号と詳細輝度信号と変換入力色信号と差分入力色信号を取得する工程と、
少なくとも取得した該大域輝度信号と該詳細輝度信号と該変換入力色信号と該差分入力色信号を用いて前記鑑賞画像参照データを生成する工程と、を含んでもよい。
【手続補正５９】
【補正対象書類名】明細書
【補正対象項目名】０１００
【補正方法】変更
【補正の内容】
【０１００】
また、入力画像データに出力媒体上での鑑賞画像形成のために最適化する画像処理を施して鑑賞画像参照データを生成する画像処理方法において、
前記入力画像データから少なくとも鑑賞画像参照データと大域輝度信号と詳細輝度信号と入力色信号を取得する工程と、
少なくとも取得した該大域輝度信号と該詳細輝度信号と該入力色信号を用いて、改変された鑑賞画像参照データを生成する工程と、を含んでもよい。
【手続補正６０】
【補正対象書類名】明細書
【補正対象項目名】０１０１
【補正方法】変更
【補正の内容】
【０１０１】
また、入力画像データに出力媒体上での鑑賞画像形成のために最適化する画像処理を施して鑑賞画像参照データを生成する画像処理方法において、
前記入力画像データから少なくとも鑑賞画像参照データと大域輝度信号と変換詳細輝度信号と差分詳細輝度信号と入力色信号を取得する工程と、
少なくとも取得した該大域輝度信号と該変換詳細輝度信号と該差分詳細輝度信号と該入力色信号を用いて改変された鑑賞画像参照データを生成する工程と、を含んでもよい。
【手続補正６１】
【補正対象書類名】明細書
【補正対象項目名】０１０２
【補正方法】変更
【補正の内容】
【０１０２】
また、入力画像データに出力媒体上での鑑賞画像形成のために最適化する画像処理を施して鑑賞画像参照データを生成する画像処理方法において、
前記入力画像データから少なくとも鑑賞画像参照データと大域輝度信号と詳細輝度信号と変換入力色信号と差分入力色信号を取得する工程と、
少なくとも取得した該大域輝度信号と該詳細輝度信号と該変換入力色信号と該差分入力色信号を用いて改変された鑑賞画像参照データを生成する工程と、を含んでもよい。
【手続補正６２】
【補正対象書類名】明細書
【補正対象項目名】０１０３
【補正方法】変更
【補正の内容】
【０１０３】
また、入力画像データに出力媒体上での鑑賞画像形成のために最適化する画像処理を施して鑑賞画像参照データを生成する画像処理装置において、
前記入力画像データから少なくとも大域輝度信号と詳細輝度信号と入力色信号を取得する取得手段と、
少なくとも取得した該大域輝度信号と該詳細輝度信号と該入力色信号を用いて前記鑑賞画像参照データを生成する生成手段と、を備えてもよい。
【手続補正６３】
【補正対象書類名】明細書
【補正対象項目名】０１０４
【補正方法】変更
【補正の内容】
【０１０４】
また、前記入力画像データに付随する付加情報を取得する手段と、
取得した前記付加情報に基づいて前記大域輝度信号および前記詳細輝度信号の生成条件を決定する大域・詳細輝度信号生成条件決定手段と、を備えてもよい。
【手続補正６４】
【補正対象書類名】明細書
【補正対象項目名】０１０５
【補正方法】変更
【補正の内容】
【０１０５】
また、前記付加情報に基づいてローパスフィルター特性を決定し、決定されたローパスフィルター特性に基づいて前記大域輝度信号と前記詳細輝度信号とを生成してもよい。
【手続補正６５】
【補正対象書類名】明細書
【補正対象項目名】０１０６
【補正方法】変更
【補正の内容】
【０１０６】
また、入力画像データに出力媒体上での鑑賞画像形成のために最適化する画像処理を施して鑑賞画像参照データを生成する画像処理装置において、
前記入力画像データから少なくとも大域輝度信号と変換詳細輝度信号と差分詳細輝度信号と入力色信号を取得する取得手段と、
少なくとも取得した該大域輝度信号と該変換詳細輝度信号と該差分詳細輝度信号と該入力色信号を用いて前記鑑賞画像参照データを生成する生成手段と、を備えてもよい。
【手続補正６６】
【補正対象書類名】明細書
【補正対象項目名】０１０７
【補正方法】変更
【補正の内容】
【０１０７】
また、入力画像データに出力媒体上での鑑賞画像形成のために最適化する画像処理を施して鑑賞画像参照データを生成する画像処理装置において、
前記入力画像データから少なくとも大域輝度信号と詳細輝度信号と変換入力色信号と差分入力色信号を取得する取得手段と、
少なくとも取得した該大域輝度信号と該詳細輝度信号と該変換入力色信号と該差分入力色信号を用いて前記鑑賞画像参照データを生成する生成手段と、を備えてもよい。
【手続補正６７】
【補正対象書類名】明細書
【補正対象項目名】０１０８
【補正方法】変更
【補正の内容】
【０１０８】
また、入力画像データに出力媒体上での鑑賞画像形成のために最適化する画像処理を施して鑑賞画像参照データを生成する画像処理装置において、
前記入力画像データから少なくとも鑑賞画像参照データと大域輝度信号と詳細輝度信号と入力色信号を取得する取得手段と、
少なくとも取得した該大域輝度信号と該詳細輝度信号と該入力色信号を用いて、改変された鑑賞画像参照データを生成する生成手段と、を備えてもよい。
【手続補正６８】
【補正対象書類名】明細書
【補正対象項目名】０１０９
【補正方法】変更
【補正の内容】
【０１０９】
また、入力画像データに出力媒体上での鑑賞画像形成のために最適化する画像処理を施して鑑賞画像参照データを生成する画像処理装置において、
前記入力画像データから少なくとも鑑賞画像参照データと大域輝度信号と変換詳細輝度信号と差分詳細輝度信号と入力色信号を取得する取得手段と、
少なくとも取得した該大域輝度信号と該変換詳細輝度信号と該差分詳細輝度信号と該入力色信号を用いて改変された鑑賞画像参照データを生成する生成手段と、を備えてもよい。
【手続補正６９】
【補正対象書類名】明細書
【補正対象項目名】０１１０
【補正方法】変更
【補正の内容】
【０１１０】
また、入力画像データに出力媒体上での鑑賞画像形成のために最適化する画像処理を施して鑑賞画像参照データを生成する画像処理装置において、
前記入力画像データから少なくとも鑑賞画像参照データと大域輝度信号と詳細輝度信号と変換入力色信号と差分入力色信号を取得する取得手段と、
少なくとも取得した該大域輝度信号と該詳細輝度信号と該変換入力色信号と該差分入力色信号を用いて改変された鑑賞画像参照データを生成する生成手段と、を備えてもよい。
【手続補正７０】
【補正対象書類名】明細書
【補正対象項目名】０１１１
【補正方法】変更
【補正の内容】
【０１１１】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号と該詳細輝度信号と該入力色信号を前記記録媒体に記録する機能と、
を含むプログラムを記録してもよい。
【手続補正７１】
【補正対象書類名】明細書
【補正対象項目名】０１１２
【補正方法】変更
【補正の内容】
【０１１２】
また、前記プログラムは、
前記入力画像データに付随する付加情報を取得する機能と、
取得した前記付加情報に基づいて前記大域輝度信号および前記詳細輝度信号の生成条件を決定する機能と、を含んでもよい。
【手続補正７２】
【補正対象書類名】明細書
【補正対象項目名】０１１３
【補正方法】変更
【補正の内容】
【０１１３】
また、前記プログラムにおいて、
前記付加情報に基づいてローパスフィルター特性が決定され、決定されたローパスフィルター特性に基づいて前記大域輝度信号と前記詳細輝度信号とが生成されてもよい。
【手続補正７３】
【補正対象書類名】明細書
【補正対象項目名】０１１４
【補正方法】変更
【補正の内容】
【０１１４】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも詳細輝度信号に詳細変換処理を施して変換詳細輝度信号とする機能と、
該詳細輝度信号と該変換詳細輝度信号を用いて差分詳細輝度信号を生成する機能と、
少なくとも該大域輝度信号と該変換詳細輝度信号と該差分詳細輝度信号と該入力色信号を前記記録媒体に記録する機能と、
を含むプログラムを記録してもよい。
【手続補正７４】
【補正対象書類名】明細書
【補正対象項目名】０１１５
【補正方法】変更
【補正の内容】
【０１１５】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも入力色信号に色変換処理を施して変換入力色信号を生成する機能と、
該入力色信号と該変換入力色信号から差分入力色信号を生成する機能と、
少なくとも該大域輝度信号と該詳細輝度信号と該変換入力色信号と該差分入力色信号を前記記録媒体に記録する機能と、
を含むプログラムを記録してもよい。
【手続補正７５】
【補正対象書類名】明細書
【補正対象項目名】０１１６
【補正方法】変更
【補正の内容】
【０１１６】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
該大域輝度信号と該詳細輝度信号と該入力色信号から鑑賞画像参照データを生成する機能と、
少なくとも該鑑賞画像参照データと該大域輝度信号と該詳細輝度信号と該入力色信号を前記記録媒体に記録する機能と、
を含むプログラムを記録してもよい。
【手続補正７６】
【補正対象書類名】明細書
【補正対象項目名】０１１７
【補正方法】変更
【補正の内容】
【０１１７】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該詳細輝度信号に詳細変換処理を施して変換詳細輝度信号とする機能と、
該詳細輝度信号と該変換詳細輝度信号を用いて差分詳細輝度信号を生成する機能と、
該大域輝度信号と変換詳細輝度信号と入力色信号から鑑賞画像参照データを生成する機能と、
少なくとも該鑑賞画像参照データと該大域輝度信号と該変換詳細輝度信号と該差分詳細輝度信号と該入力色信号を前記記録媒体に記録する機能と、
を含むプログラムを記録してもよい。
【手続補正７７】
【補正対象書類名】明細書
【補正対象項目名】０１１８
【補正方法】変更
【補正の内容】
【０１１８】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該入力色信号に色変換処理を施して変換入力色信号を生成する機能と、
該入力色信号と該変換入力色信号から差分入力色信号を生成する機能と、
該大域輝度信号と該詳細輝度信号と該変換入力色信号から鑑賞画像参照データを生成する機能と、
少なくとも該鑑賞画像参照データと該大域輝度信号と該詳細輝度信号と該変換入力色信号と該差分入力色信号を前記記録媒体に記録する機能と、を含むプログラムを記録してもよい。
【手続補正７８】
【補正対象書類名】明細書
【補正対象項目名】０１１９
【補正方法】変更
【補正の内容】
【０１１９】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも大域輝度信号と詳細輝度信号と入力色信号を取得する機能と、
少なくとも取得した該大域輝度信号と該詳細輝度信号と該入力色信号を用いて前記鑑賞画像参照データを生成する機能と、
を含むプログラムを記録してもよい。
【手続補正７９】
【補正対象書類名】明細書
【補正対象項目名】０１２０
【補正方法】変更
【補正の内容】
【０１２０】
また、前記プログラムは、
前記入力画像データに付随する付加情報を取得する機能と、
取得した前記付加情報に基づいて前記大域輝度信号および前記詳細輝度信号の生成条件を決定する機能と、を含んでもよい。
【手続補正８０】
【補正対象書類名】明細書
【補正対象項目名】０１２１
【補正方法】変更
【補正の内容】
【０１２１】
また、前記プログラムにおいて、前記付加情報に基づいてローパスフィルター特性が決定され、決定されたローパスフィルター特性に基づいて前記大域輝度信号と前記詳細輝度信号とが生成されてもよい。
【手続補正８１】
【補正対象書類名】明細書
【補正対象項目名】０１２２
【補正方法】変更
【補正の内容】
【０１２２】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも大域輝度信号と変換詳細輝度信号と差分詳細輝度信号と入力色信号を取得する機能と、
少なくとも取得した該大域輝度信号と該変換詳細輝度信号と該差分詳細輝度信号と該入力色信号を用いて前記鑑賞画像参照データを生成する機能と、
を含むプログラムを記録してもよい。
【手続補正８２】
【補正対象書類名】明細書
【補正対象項目名】０１２３
【補正方法】変更
【補正の内容】
【０１２３】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも大域輝度信号と詳細輝度信号と変換入力色信号と差分入力色信号を取得する機能と、
少なくとも取得した該大域輝度信号と該詳細輝度信号と該変換入力色信号と該差分入力色信号を用いて前記鑑賞画像参照データを生成する機能と、
を含むプログラムを記録してもよい。
【手続補正８３】
【補正対象書類名】明細書
【補正対象項目名】０１２４
【補正方法】変更
【補正の内容】
【０１２４】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと大域輝度信号と詳細輝度信号と入力色信号を取得する機能と、
少なくとも取得した該大域輝度信号と該詳細輝度信号と該入力色信号を用いて、改変された鑑賞画像参照データを生成する機能と、
を含むプログラムを記録してもよい。
【手続補正８４】
【補正対象書類名】明細書
【補正対象項目名】０１２５
【補正方法】変更
【補正の内容】
【０１２５】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと大域輝度信号と変換詳細輝度信号と差分詳細輝度信号と入力色信号を取得する機能と、
少なくとも取得した該大域輝度信号と該変換詳細輝度信号と該差分詳細輝度信号と該入力色信号を用いて改変された鑑賞画像参照データを生成する機能と、
を含むプログラムを記録してもよい。
【手続補正８５】
【補正対象書類名】明細書
【補正対象項目名】０１２６
【補正方法】変更
【補正の内容】
【０１２６】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと大域輝度信号と詳細輝度信号と変換入力色信号と差分入力色信号を取得する機能と、
少なくとも取得した該大域輝度信号と該詳細輝度信号と該変換入力色信号と該差分入力色信号を用いて改変された鑑賞画像参照データを生成する機能と、
を含むプログラムを記録してもよい。
【手続補正８６】
【補正対象書類名】明細書
【補正対象項目名】０１２７
【補正方法】変更
【補正の内容】
【０１２７】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号と該詳細輝度信号と該入力色信号を前記記録媒体に記録する機能と、を実現させるためのプログラムであってもよい。
【手続補正８７】
【補正対象書類名】明細書
【補正対象項目名】０１２８
【補正方法】変更
【補正の内容】
【０１２８】
また、前記コンピュータに、
前記入力画像データに付随する付加情報を取得する機能と、
取得した前記付加情報に基づいて前記大域輝度信号および前記詳細輝度信号の生成条件を決定する機能と、を実現させてもよい。
【手続補正８８】
【補正対象書類名】明細書
【補正対象項目名】０１２９
【補正方法】変更
【補正の内容】
【０１２９】
また、前記付加情報に基づいてローパスフィルター特性が決定され、決定されたローパスフィルター特性に基づいて前記大域輝度信号と前記詳細輝度信号とが生成されてもよい。
【手続補正８９】
【補正対象書類名】明細書
【補正対象項目名】０１３０
【補正方法】変更
【補正の内容】
【０１３０】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも詳細輝度信号に詳細変換処理を施して変換詳細輝度信号とする機能と、
該詳細輝度信号と該変換詳細輝度信号を用いて差分詳細輝度信号を生成する機能と、
少なくとも該大域輝度信号と該変換詳細輝度信号と該差分詳細輝度信号と該入力色信号を前記記録媒体に記録する機能と、を実現させるためのプログラムであってもよい。
【手続補正９０】
【補正対象書類名】明細書
【補正対象項目名】０１３１
【補正方法】変更
【補正の内容】
【０１３１】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも入力色信号に色変換処理を施して変換入力色信号を生成する機能と、
該入力色信号と該変換入力色信号から差分入力色信号を生成する機能と、
少なくとも該大域輝度信号と該詳細輝度信号と該変換入力色信号と該差分入力色信号を前記記録媒体に記録する機能と、を実現させるためのプログラムであってもよい。
【手続補正９１】
【補正対象書類名】明細書
【補正対象項目名】０１３２
【補正方法】変更
【補正の内容】
【０１３２】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
該大域輝度信号と該詳細輝度信号と該入力色信号から鑑賞画像参照データを生成する機能と、
少なくとも該鑑賞画像参照データと該大域輝度信号と該詳細輝度信号と該入力色信号を前記記録媒体に記録する機能と、を実現させるためのプログラムであってもよい。
【手続補正９２】
【補正対象書類名】明細書
【補正対象項目名】０１３３
【補正方法】変更
【補正の内容】
【０１３３】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該詳細輝度信号に詳細変換処理を施して変換詳細輝度信号とする機能と、
該詳細輝度信号と該変換詳細輝度信号を用いて差分詳細輝度信号を生成する機能と、
該大域輝度信号と変換詳細輝度信号と入力色信号から鑑賞画像参照データを生成する機能と、
少なくとも該鑑賞画像参照データと該大域輝度信号と該変換詳細輝度信号と該差分詳細輝度信号と該入力色信号を前記記録媒体に記録する機能と、を実現させるためのプログラムであってもよい。
【手続補正９３】
【補正対象書類名】明細書
【補正対象項目名】０１３４
【補正方法】変更
【補正の内容】
【０１３４】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該入力色信号に色変換処理を施して変換入力色信号を生成する機能と、
該入力色信号と該変換入力色信号から差分入力色信号を生成する機能と、
該大域輝度信号と該詳細輝度信号と該変換入力色信号から鑑賞画像参照データを生成する機能と、
少なくとも該鑑賞画像参照データと該大域輝度信号と該詳細輝度信号と該変換入力色信号と該差分入力色信号を前記記録媒体に記録する機能と、を実現させるためのプログラムであってもよい。
【手続補正９４】
【補正対象書類名】明細書
【補正対象項目名】０１３５
【補正方法】変更
【補正の内容】
【０１３５】
また、入力画像データに出力媒体上での鑑賞画像形成のために最適化する画像処理を施して鑑賞画像参照データを生成するための処理を実行するためのコンピュータに、
前記入力画像データから少なくとも大域輝度信号と詳細輝度信号と入力色信号を取得する機能と、
少なくとも取得した該大域輝度信号と該詳細輝度信号と該入力色信号を用いて前記鑑賞画像参照データを生成する機能と、を実現させるためのプログラムであってもよい。
【手続補正９５】
【補正対象書類名】明細書
【補正対象項目名】０１３６
【補正方法】変更
【補正の内容】
【０１３６】
また、前記コンピュータに、
前記入力画像データに付随する付加情報を取得する機能と、
取得した前記付加情報に基づいて前記大域輝度信号および前記詳細輝度信号の生成条件を決定する機能と、を実現させてもよい。
【手続補正９６】
【補正対象書類名】明細書
【補正対象項目名】０１３７
【補正方法】変更
【補正の内容】
【０１３７】
また、前記付加情報に基づいてローパスフィルター特性が決定され、決定されたローパスフィルター特性に基づいて前記大域輝度信号と前記詳細輝度信号とが生成されてもよい。
【手続補正９７】
【補正対象書類名】明細書
【補正対象項目名】０１３８
【補正方法】変更
【補正の内容】
【０１３８】
また、入力画像データに出力媒体上での鑑賞画像形成のために最適化する画像処理を施して鑑賞画像参照データを生成するための処理を実行するためのコンピュータに、
前記入力画像データから少なくとも大域輝度信号と変換詳細輝度信号と差分詳細輝度信号と入力色信号を取得する機能と、
少なくとも取得した該大域輝度信号と該変換詳細輝度信号と該差分詳細輝度信号と該入力色信号を用いて前記鑑賞画像参照データを生成する機能と、を実現させるためのプログラムであってもよい。
【手続補正９８】
【補正対象書類名】明細書
【補正対象項目名】０１３９
【補正方法】変更
【補正の内容】
【０１３９】
また、入力画像データに出力媒体上での鑑賞画像形成のために最適化する画像処理を施して鑑賞画像参照データを生成するための処理を実行するためのコンピュータに、
前記入力画像データから少なくとも大域輝度信号と詳細輝度信号と変換入力色信号と差分入力色信号を取得する機能と、
少なくとも取得した該大域輝度信号と該詳細輝度信号と該変換入力色信号と該差分入力色信号を用いて前記鑑賞画像参照データを生成する機能と、を実現させるためのプログラムであってもよい。
【手続補正９９】
【補正対象書類名】明細書
【補正対象項目名】０１４０
【補正方法】変更
【補正の内容】
【０１４０】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと大域輝度信号と詳細輝度信号と入力色信号を取得する機能と、
少なくとも取得した該大域輝度信号と該詳細輝度信号と該入力色信号を用いて、改変された鑑賞画像参照データを生成する機能と、を実現させるためのプログラムであってもよい。
【手続補正１００】
【補正対象書類名】明細書
【補正対象項目名】０１４１
【補正方法】変更
【補正の内容】
【０１４１】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと大域輝度信号と変換詳細輝度信号と差分詳細輝度信号と入力色信号を取得する機能と、
少なくとも取得した該大域輝度信号と該変換詳細輝度信号と該差分詳細輝度信号と該入力色信号を用いて改変された鑑賞画像参照データを生成する機能と、を実現させるためのプログラムであってもよい。
【手続補正１０１】
【補正対象書類名】明細書
【補正対象項目名】０１４２
【補正方法】変更
【補正の内容】
【０１４２】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと大域輝度信号と詳細輝度信号と変換入力色信号と差分入力色信号を取得する機能と、
少なくとも取得した該大域輝度信号と該詳細輝度信号と該変換入力色信号と該差分入力色信号を用いて改変された鑑賞画像参照データを生成する機能と、を実現させるためのプログラムであってもよい。
【手続補正１０２】
【補正対象書類名】明細書
【補正対象項目名】０１４３
【補正方法】変更
【補正の内容】
【０１４３】
請求項７〜１４記載の画像記録方法により構成される第２の発明群の第１の特徴は、入力画像データから入力輝度信号と入力色信号を生成し、入力輝度信号から大域輝度信号と詳細輝度信号を生成し、生成された信号のうち少なくとも大域輝度信号と詳細輝度信号と入力色信号をメディアに記録することである。
【手続補正１０３】
【補正対象書類名】明細書
【補正対象項目名】０１４４
【補正方法】変更
【補正の内容】
【０１４４】
特に、請求項７記載の画像記録方法において、入力画像データに付随する付加情報を取得し、取得した付加情報に基づいて大域輝度信号と詳細輝度信号の生成条件を決定することが好ましい。
【手続補正１０４】
【補正対象書類名】明細書
【補正対象項目名】０１７９
【補正方法】変更
【補正の内容】
【０１７９】
また、入力画像データに出力媒体上での鑑賞画像形成のために最適化する画像処理を施して、鑑賞画像参照データを生成するために画像データを記録媒体に記録する画像記録装置において、
前記入力画像データに色域変換処理を施した後に色変換入力輝度信号と色変換入力色信号を生成するとともに、該色変換入力輝度信号から色変換大域輝度信号と色変換詳細輝度信号を生成する生成手段と、
少なくとも該色変換大域輝度信号と該色変換詳細輝度信号と該色変換入力色信号を前記記録媒体に記録する記録手段と、を備えてもよい。
【手続補正１０５】
【補正対象書類名】明細書
【補正対象項目名】０１８０
【補正方法】変更
【補正の内容】
【０１８０】
また、前記入力画像データに付随する付加情報を取得する取得手段と、
取得した前記付加情報に基づいて前記色変換大域輝度信号および前記色変換詳細輝度信号の生成条件を決定する色変換大域・詳細輝度信号生成条件決定手段と、を備えてもよい。
【手続補正１０６】
【補正対象書類名】明細書
【補正対象項目名】０１８１
【補正方法】変更
【補正の内容】
【０１８１】
また、前記付加情報に基づいてローパスフィルター特性を決定し、決定されたローパスフィルター特性に基づいて前記色変換大域輝度信号と前記色変換詳細輝度信号とを生成してもよい。
【手続補正１０７】
【補正対象書類名】明細書
【補正対象項目名】０１８２
【補正方法】変更
【補正の内容】
【０１８２】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換詳細輝度信号に変換処理を施し色変換−変換詳細輝度信号を生成するとともに、該色変換詳細輝度信号と該色変換−変換詳細輝度信号から色変換−差分詳細輝度信号を生成する生成手段と、
少なくとも該色変換大域輝度信号と該色変換−変換詳細輝度信号と該色変換−差分詳細輝度信号と該色変換入力色信号を前記記録媒体に記録する記録手段と、を備えてもよい。
【手続補正１０８】
【補正対象書類名】明細書
【補正対象項目名】０１８３
【補正方法】変更
【補正の内容】
【０１８３】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、該色変換入力色信号に変換処理を施して色変換−変換入力色信号を生成するとともに、該色変換入力色信号と該色変換−変換入力色信号から色変換−差分入力色信号を生成する生成手段と、
少なくとも該色変換大域輝度信号と該色変換詳細輝度信号と該色変換−変換入力色信号と該色変換−差分入力色信号を前記記録媒体に記録する記録手段と、を備えてもよい。
【手続補正１０９】
【補正対象書類名】明細書
【補正対象項目名】０１８４
【補正方法】変更
【補正の内容】
【０１８４】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成するとともに、該色変換大域輝度信号と該色変換詳細輝度信号と該色変換入力色信号から鑑賞画像参照データを生成する生成手段と、
少なくとも該鑑賞画像参照データと該色変換大域輝度信号と該色変換詳細輝度信号と該色変換入力色信号を前記記録媒体に記録する記録手段と、を備えてもよい。
【手続補正１１０】
【補正対象書類名】明細書
【補正対象項目名】０１８５
【補正方法】変更
【補正の内容】
【０１８５】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換詳細輝度信号に変換処理を施し色変換−変換詳細輝度信号を生成し、該色変換詳細輝度信号と該色変換−変換詳細輝度信号から色変換−差分詳細輝度信号を生成するとともに、該色変換大域輝度信号と該色変換−変換詳細輝度信号と該色変換入力色信号から鑑賞画像参照データを生成する生成手段と、
少なくとも該鑑賞画像参照データと該色変換大域輝度信号と該色変換−変換詳細輝度信号と該色変換−差分詳細輝度信号と該色変換入力色信号を前記記録媒体に記録する記録手段と、を備えてもよい。
【手続補正１１１】
【補正対象書類名】明細書
【補正対象項目名】０１８６
【補正方法】変更
【補正の内容】
【０１８６】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、該色変換入力色信号に変換処理を施して色変換−変換入力色信号を生成し、該色変換入力色信号と該色変換−変換入力色信号から色変換−差分入力色信号を生成するとともに、該色変換大域輝度信号と該色変換詳細輝度信号と該色変換−変換入力色信号から鑑賞画像参照データを生成する生成手段と、
少なくとも該鑑賞画像参照データと該色変換大域輝度信号と該色変換詳細輝度信号と該色変換−変換入力色信号と該色変換−差分入力色信号を前記記録媒体に記録する記録手段と、を備えてもよい。
【手続補正１１２】
【補正対象書類名】明細書
【補正対象項目名】０１８７
【補正方法】変更
【補正の内容】
【０１８７】
また、入力画像データに出力媒体上での鑑賞画像形成のために最適化する画像処理を施して鑑賞画像参照データを生成する画像処理方法において、
前記入力画像データから少なくとも色変換大域輝度信号と色変換詳細輝度信号と色変換入力色信号を取得する工程と、
少なくとも取得した該色変換大域輝度信号と該色変換詳細輝度信号と該色変換入力色信号を用いて前記鑑賞画像参照データを生成する工程と、を含んでもよい。
【手続補正１１３】
【補正対象書類名】明細書
【補正対象項目名】０１８８
【補正方法】変更
【補正の内容】
【０１８８】
また、前記入力画像データに付随する付加情報を取得する工程と、
取得した前記付加情報に基づいて前記色変換大域輝度信号および前記色変換詳細輝度信号の生成条件を決定する色変換大域・詳細輝度信号生成条件決定工程と、を含んでもよい。
【手続補正１１４】
【補正対象書類名】明細書
【補正対象項目名】０１８９
【補正方法】変更
【補正の内容】
【０１８９】
また、前記付加情報に基づいてローパスフィルター特性を決定し、決定されたローパスフィルター特性に基づいて前記色変換大域輝度信号と前記色変換詳細輝度信号とを生成してもよい。
【手続補正１１５】
【補正対象書類名】明細書
【補正対象項目名】０１９０
【補正方法】変更
【補正の内容】
【０１９０】
また、入力画像データに出力媒体上での鑑賞画像形成のために最適化する画像処理を施して鑑賞画像参照データを生成する画像処理方法において、
前記入力画像データから少なくとも色変換大域輝度信号と色変換−変換詳細輝度信号と色変換−差分詳細輝度信号と色変換入力色信号を取得する工程と、
少なくとも取得した該色変換大域輝度信号と該色変−換変換詳細輝度信号と該色変換−差分詳細輝度信号と該色変換入力色信号を用いて前記鑑賞画像参照データを生成する工程と、を含んでもよい。
【手続補正１１６】
【補正対象書類名】明細書
【補正対象項目名】０１９１
【補正方法】変更
【補正の内容】
【０１９１】
また、入力画像データに出力媒体上での鑑賞画像形成のために最適化する画像処理を施して鑑賞画像参照データを生成する画像処理方法において、
前記入力画像データから少なくとも色変換大域輝度信号と色変換詳細輝度信号と色変換−変換入力色信号と色変換−差分入力色信号を取得する工程と、
少なくとも取得した該色変換大域輝度信号と該色変換詳細輝度信号と該色変換−変換入力色信号と該色変換−差分入力色信号を用いて前記鑑賞画像参照データを生成する工程と、を含んでもよい。
【手続補正１１７】
【補正対象書類名】明細書
【補正対象項目名】０１９２
【補正方法】変更
【補正の内容】
【０１９２】
また、入力画像データに出力媒体上での鑑賞画像形成のために最適化する画像処理を施して鑑賞画像参照データを生成する画像処理方法において、
前記入力画像データから少なくとも鑑賞画像参照データと色変換大域輝度信号と色変換詳細輝度信号と色変換入力色信号を取得する工程と、
少なくとも取得した該鑑賞画像参照データと該色変換大域輝度信号と該色変換詳細輝度信号と該色変換入力色信号を用いて改変された鑑賞画像参照データを生成する工程と、を含んでもよい。
【手続補正１１８】
【補正対象書類名】明細書
【補正対象項目名】０１９３
【補正方法】変更
【補正の内容】
【０１９３】
また、入力画像データに出力媒体上での鑑賞画像形成のために最適化する画像処理を施して鑑賞画像参照データを生成する画像処理方法において、
前記入力画像データから少なくとも鑑賞画像参照データと色変換大域輝度信号と色変換−変換詳細輝度信号と色変換−差分詳細輝度信号と色変換入力色信号を取得する工程と、
少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する工程と、を含んでもよい。
【手続補正１１９】
【補正対象書類名】明細書
【補正対象項目名】０１９４
【補正方法】変更
【補正の内容】
【０１９４】
また、入力画像データに出力媒体上での鑑賞画像形成のために最適化する画像処理を施して鑑賞画像参照データを生成する画像処理方法において、
前記入力画像データから少なくとも鑑賞画像参照データと色変換大域輝度信号と色変換詳細輝度信号と色変換−変換入力色信号と色変換−差分入力色信号を取得する工程と、
少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する工程と、を含んでもよい。
【手続補正１２０】
【補正対象書類名】明細書
【補正対象項目名】０１９５
【補正方法】変更
【補正の内容】
【０１９５】
また、入力画像データに出力媒体上での鑑賞画像形成のために最適化する画像処理を施して鑑賞画像参照データを生成する画像処理装置において、
前記入力画像データから少なくとも色変換大域輝度信号と色変換詳細輝度信号と色変換入力色信号を取得する取得手段と、
少なくとも取得した該色変換大域輝度信号と該色変換詳細輝度信号と該色変換入力色信号を用いて前記鑑賞画像参照データを生成する生成手段と、を備えてもよい。
【手続補正１２１】
【補正対象書類名】明細書
【補正対象項目名】０１９６
【補正方法】変更
【補正の内容】
【０１９６】
また、前記入力画像データに付随する付加情報を取得する手段と、
取得した前記付加情報に基づいて前記色変換大域輝度信号および前記色変換詳細輝度信号の生成条件を決定する色変換大域・詳細輝度信号生成条件決定手段と、を備えてもよい。
【手続補正１２２】
【補正対象書類名】明細書
【補正対象項目名】０１９７
【補正方法】変更
【補正の内容】
【０１９７】
また、前記付加情報に基づいてローパスフィルター特性を決定し、決定されたローパスフィルター特性に基づいて前記色変換大域輝度信号と前記色変換詳細輝度信号とを生成してもよい。
【手続補正１２３】
【補正対象書類名】明細書
【補正対象項目名】０１９８
【補正方法】変更
【補正の内容】
【０１９８】
また、入力画像データに出力媒体上での鑑賞画像形成のために最適化する画像処理を施して鑑賞画像参照データを生成する画像処理装置において、
前記入力画像データから少なくとも色変換大域輝度信号と色変換−変換詳細輝度信号と色変換−差分詳細輝度信号と色変換入力色信号を取得する取得手段と、
少なくとも取得した該色変換大域輝度信号と該色変−換変換詳細輝度信号と該色変換−差分詳細輝度信号と該色変換入力色信号を用いて前記鑑賞画像参照データを生成する生成手段と、を備えてもよい。
【手続補正１２４】
【補正対象書類名】明細書
【補正対象項目名】０１９９
【補正方法】変更
【補正の内容】
【０１９９】
また、入力画像データに出力媒体上での鑑賞画像形成のために最適化する画像処理を施して鑑賞画像参照データを生成する画像処理装置において、
前記入力画像データから少なくとも色変換大域輝度信号と色変換詳細輝度信号と色変換−変換入力色信号と色変換−差分入力色信号を取得する取得手段と、
少なくとも取得した該色変換大域輝度信号と該色変換詳細輝度信号と該色変換−変換入力色信号と該色変換−差分入力色信号を用いて前記鑑賞画像参照データを生成する生成手段と、を備えてもよい。
【手続補正１２５】
【補正対象書類名】明細書
【補正対象項目名】０２００
【補正方法】変更
【補正の内容】
【０２００】
また、入力画像データに出力媒体上での鑑賞画像形成のために最適化する画像処理を施して鑑賞画像参照データを生成する画像処理装置において、
前記入力画像データから少なくとも鑑賞画像参照データと色変換大域輝度信号と色変換詳細輝度信号と色変換入力色信号を取得する取得手段と、
少なくとも取得した該鑑賞画像参照データと該色変換大域輝度信号と該色変換詳細輝度信号と該色変換入力色信号を用いて改変された鑑賞画像参照データを生成する生成手段と、を備えてもよい。
【手続補正１２６】
【補正対象書類名】明細書
【補正対象項目名】０２０１
【補正方法】変更
【補正の内容】
【０２０１】
また、入力画像データに出力媒体上での鑑賞画像形成のために最適化する画像処理を施して鑑賞画像参照データを生成する画像処理装置において、
前記入力画像データから少なくとも鑑賞画像参照データと色変換大域輝度信号と色変換−変換詳細輝度信号と色変換−差分詳細輝度信号と色変換入力色信号を取得する取得手段と、
少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する生成手段と、を備えてもよい。
【手続補正１２７】
【補正対象書類名】明細書
【補正対象項目名】０２０２
【補正方法】変更
【補正の内容】
【０２０２】
また、入力画像データに出力媒体上での鑑賞画像形成のために最適化する画像処理を施して鑑賞画像参照データを生成する画像処理装置において、
前記入力画像データから少なくとも鑑賞画像参照データと色変換大域輝度信号と色変換詳細輝度信号と色変換−変換入力色信号と色変換−差分入力色信号を取得する取得手段と、
少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する生成手段と、を備えてもよい。
【手続補正１２８】
【補正対象書類名】明細書
【補正対象項目名】０２０３
【補正方法】変更
【補正の内容】
【０２０３】
また、入力画像データに出力媒体上での鑑賞画像形成のために最適化する画像処理を施して、鑑賞画像参照データを生成するために画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号と該色変換詳細輝度信号と該色変換入力色信号を前記記録媒体に記録する機能と、
を含むプログラムを記録してもよい。
【手続補正１２９】
【補正対象書類名】明細書
【補正対象項目名】０２０４
【補正方法】変更
【補正の内容】
【０２０４】
また、前記プログラムは、
前記入力画像データに付随する付加情報を取得する機能と、
取得した前記付加情報に基づいて前記色変換大域輝度信号および前記色変換詳細輝度信号の生成条件を決定する機能と、を含んでもよい。
【手続補正１３０】
【補正対象書類名】明細書
【補正対象項目名】０２０５
【補正方法】変更
【補正の内容】
【０２０５】
また、前記プログラムにおいて、前記付加情報に基づいてローパスフィルター特性が決定され、決定されたローパスフィルター特性に基づいて前記色変換大域輝度信号と前記色変換詳細輝度信号とが生成されてもよい。
【手続補正１３１】
【補正対象書類名】明細書
【補正対象項目名】０２０６
【補正方法】変更
【補正の内容】
【０２０６】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換詳細輝度信号に変換処理を施し色変換−変換詳細輝度信号を生成する機能と、
該色変換詳細輝度信号と該色変換−変換詳細輝度信号から色変換−差分詳細輝度信号を生成する機能と、
少なくとも該色変換大域輝度信号と該色変換−変換詳細輝度信号と該色変換−差分詳細輝度信号と該色変換入力色信号を前記記録媒体に記録する機能と、
を含むプログラムを記録してもよい。
【手続補正１３２】
【補正対象書類名】明細書
【補正対象項目名】０２０７
【補正方法】変更
【補正の内容】
【０２０７】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
該色変換入力色信号に変換処理を施して色変換−変換入力色信号を生成する機能と、
該色変換入力色信号と該色変換−変換入力色信号から色変換−差分入力色信号を生成する機能と、
少なくとも該色変換大域輝度信号と該色変換詳細輝度信号と該色変換−変換入力色信号と該色変換−差分入力色信号を前記記録媒体に記録する機能と、
を含むプログラムを記録してもよい。
【手続補正１３３】
【補正対象書類名】明細書
【補正対象項目名】０２０８
【補正方法】変更
【補正の内容】
【０２０８】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
該色変換大域輝度信号と該色変換詳細輝度信号と該色変換入力色信号から鑑賞画像参照データを生成する機能と、
少なくとも該鑑賞画像参照データと該色変換大域輝度信号と該色変換詳細輝度信号と該色変換入力色信号を前記記録媒体に記録する機能と、
を含むプログラムを記録してもよい。
【手続補正１３４】
【補正対象書類名】明細書
【補正対象項目名】０２０９
【補正方法】変更
【補正の内容】
【０２０９】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換詳細輝度信号に変換処理を施し色変換−変換詳細輝度信号を生成する機能と、
該色変換詳細輝度信号と該色変換−変換詳細輝度信号から色変換−差分詳細輝度信号を生成する機能と、
該色変換大域輝度信号と該色変換−変換詳細輝度信号と該色変換入力色信号から鑑賞画像参照データを生成する機能と、
少なくとも該鑑賞画像参照データと該色変換大域輝度信号と該色変換−変換詳細輝度信号と該色変換−差分詳細輝度信号と該色変換入力色信号を前記記録媒体に記録する機能と、
を含むプログラムを記録してもよい。
【手続補正１３５】
【補正対象書類名】明細書
【補正対象項目名】０２１０
【補正方法】変更
【補正の内容】
【０２１０】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
該色変換入力色信号に変換処理を施して色変換−変換入力色信号を生成する機能と、
該色変換入力色信号と該色変換−変換入力色信号から色変換−差分入力色信号を生成する機能と、
該色変換大域輝度信号と該色変換詳細輝度信号と該色変換−変換入力色信号から鑑賞画像参照データを生成する機能と、
少なくとも該鑑賞画像参照データと該色変換大域輝度信号と該色変換詳細輝度信号と該色変換−変換入力色信号と該色変換−差分入力色信号を前記記録媒体に記録する機能と、
を含むプログラムを記録してもよい。
【手続補正１３６】
【補正対象書類名】明細書
【補正対象項目名】０２１１
【補正方法】変更
【補正の内容】
【０２１１】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも色変換大域輝度信号と色変換詳細輝度信号と色変換入力色信号を取得する機能と、
少なくとも取得した該色変換大域輝度信号と該色変換詳細輝度信号と該色変換入力色信号を用いて前記鑑賞画像参照データを生成する機能と、
を含むプログラムを記録してもよい。
【手続補正１３７】
【補正対象書類名】明細書
【補正対象項目名】０２１２
【補正方法】変更
【補正の内容】
【０２１２】
また、前記プログラムは、
前記入力画像データに付随する付加情報を取得する機能と、
取得した前記付加情報に基づいて前記色変換大域輝度信号および前記色変換詳細輝度信号の生成条件を決定する機能と、を含んでもよい。
【手続補正１３８】
【補正対象書類名】明細書
【補正対象項目名】０２１３
【補正方法】変更
【補正の内容】
【０２１３】
また、前記プログラムにおいて、前記付加情報に基づいてローパスフィルター特性が決定され、決定されたローパスフィルター特性に基づいて前記色変換大域輝度信号と前記色変換詳細輝度信号とが生成されてもよい。
【手続補正１３９】
【補正対象書類名】明細書
【補正対象項目名】０２１４
【補正方法】変更
【補正の内容】
【０２１４】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも色変換大域輝度信号と色変換−変換詳細輝度信号と色変換−差分詳細輝度信号と色変換入力色信号を取得する機能と、
少なくとも取得した該色変換大域輝度信号と該色変−換変換詳細輝度信号と該色変換−差分詳細輝度信号と該色変換入力色信号を用いて前記鑑賞画像参照データを生成する機能と、
を含むプログラムを記録してもよい。
【手続補正１４０】
【補正対象書類名】明細書
【補正対象項目名】０２１５
【補正方法】変更
【補正の内容】
【０２１５】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも色変換大域輝度信号と色変換詳細輝度信号と色変換−変換入力色信号と色変換−差分入力色信号を取得する機能と、
少なくとも取得した該色変換大域輝度信号と該色変換詳細輝度信号と該色変換−変換入力色信号と該色変換−差分入力色信号を用いて前記鑑賞画像参照データを生成する機能と、
を含むプログラムを記録してもよい。
【手続補正１４１】
【補正対象書類名】明細書
【補正対象項目名】０２１６
【補正方法】変更
【補正の内容】
【０２１６】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと色変換大域輝度信号と色変換詳細輝度信号と色変換入力色信号を取得する機能と、
少なくとも取得した該鑑賞画像参照データと該色変換大域輝度信号と該色変換詳細輝度信号と該色変換入力色信号を用いて改変された鑑賞画像参照データを生成する機能と、
を含むプログラムを記録してもよい。
【手続補正１４２】
【補正対象書類名】明細書
【補正対象項目名】０２１７
【補正方法】変更
【補正の内容】
【０２１７】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと色変換大域輝度信号と色変換−変換詳細輝度信号と色変換−差分詳細輝度信号と色変換入力色信号を取得する機能と、
少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する機能と、
を含むプログラムを記録してもよい。
【手続補正１４３】
【補正対象書類名】明細書
【補正対象項目名】０２１８
【補正方法】変更
【補正の内容】
【０２１８】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと色変換大域輝度信号と色変換詳細輝度信号と色変換−変換入力色信号と色変換−差分入力色信号を取得する機能と、
少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する機能と、
を含むプログラムを記録してもよい。
【手続補正１４４】
【補正対象書類名】明細書
【補正対象項目名】０２１９
【補正方法】変更
【補正の内容】
【０２１９】
また、入力画像データに出力媒体上での鑑賞画像形成のために最適化する画像処理を施して、鑑賞画像参照データを生成するために画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号と該色変換詳細輝度信号と該色変換入力色信号を前記記録媒体に記録する機能と、を実現させるためのプログラムであってもよい。
【手続補正１４５】
【補正対象書類名】明細書
【補正対象項目名】０２２０
【補正方法】変更
【補正の内容】
【０２２０】
また、前記コンピュータに、
前記入力画像データに付随する付加情報を取得する機能と、
取得した前記付加情報に基づいて前記色変換大域輝度信号および前記色変換詳細輝度信号の生成条件を決定する機能と、を実現させてもよい。
【手続補正１４６】
【補正対象書類名】明細書
【補正対象項目名】０２２１
【補正方法】変更
【補正の内容】
【０２２１】
また、前記付加情報に基づいてローパスフィルター特性が決定され、決定されたローパスフィルター特性に基づいて前記色変換大域輝度信号と前記色変換詳細輝度信号とが生成されてもよい。
【手続補正１４７】
【補正対象書類名】明細書
【補正対象項目名】０２２２
【補正方法】変更
【補正の内容】
【０２２２】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換詳細輝度信号に変換処理を施し色変換−変換詳細輝度信号を生成する機能と、
該色変換詳細輝度信号と該色変換−変換詳細輝度信号から色変換−差分詳細輝度信号を生成する機能と、
少なくとも該色変換大域輝度信号と該色変換−変換詳細輝度信号と該色変換−差分詳細輝度信号と該色変換入力色信号を前記記録媒体に記録する機能と、を実現させるためのプログラムであってもよい。
【手続補正１４８】
【補正対象書類名】明細書
【補正対象項目名】０２２３
【補正方法】変更
【補正の内容】
【０２２３】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
該色変換入力色信号に変換処理を施して色変換−変換入力色信号を生成する機能と、
該色変換入力色信号と該色変換−変換入力色信号から色変換−差分入力色信号を生成する機能と、
少なくとも該色変換大域輝度信号と該色変換詳細輝度信号と該色変換−変換入力色信号と該色変換−差分入力色信号を前記記録媒体に記録する機能と、を実現させるためのプログラムであってもよい。
【手続補正１４９】
【補正対象書類名】明細書
【補正対象項目名】０２２４
【補正方法】変更
【補正の内容】
【０２２４】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
該色変換大域輝度信号と該色変換詳細輝度信号と該色変換入力色信号から鑑賞画像参照データを生成する機能と、
少なくとも該鑑賞画像参照データと該色変換大域輝度信号と該色変換詳細輝度信号と該色変換入力色信号を前記記録媒体に記録する機能と、を実現させるためのプログラムであってもよい。
【手続補正１５０】
【補正対象書類名】明細書
【補正対象項目名】０２２５
【補正方法】変更
【補正の内容】
【０２２５】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換詳細輝度信号に変換処理を施し色変換−変換詳細輝度信号を生成する機能と、
該色変換詳細輝度信号と該色変換−変換詳細輝度信号から色変換−差分詳細輝度信号を生成する機能と、
該色変換大域輝度信号と該色変換−変換詳細輝度信号と該色変換入力色信号から鑑賞画像参照データを生成する機能と、
少なくとも該鑑賞画像参照データと該色変換大域輝度信号と該色変換−変換詳細輝度信号と該色変換−差分詳細輝度信号と該色変換入力色信号を前記記録媒体に記録する機能と、を実現させるためのプログラムであってもよい。
【手続補正１５１】
【補正対象書類名】明細書
【補正対象項目名】０２２６
【補正方法】変更
【補正の内容】
【０２２６】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
該色変換入力色信号に変換処理を施して色変換−変換入力色信号を生成する機能と、
該色変換入力色信号と該色変換−変換入力色信号から色変換−差分入力色信号を生成する機能と、
該色変換大域輝度信号と該色変換詳細輝度信号と該色変換−変換入力色信号から鑑賞画像参照データを生成する機能と、
少なくとも該鑑賞画像参照データと該色変換大域輝度信号と該色変換詳細輝度信号と該色変換−変換入力色信号と該色変換−差分入力色信号を前記記録媒体に記録する機能と、を実現させるためのプログラムであってもよい。
【手続補正１５２】
【補正対象書類名】明細書
【補正対象項目名】０２２７
【補正方法】変更
【補正の内容】
【０２２７】
また、入力画像データに出力媒体上での鑑賞画像形成のために最適化する画像処理を施して鑑賞画像参照データを生成するための処理を実行するためのコンピュータに、
前記入力画像データから少なくとも色変換大域輝度信号と色変換詳細輝度信号と色変換入力色信号を取得する機能と、
少なくとも取得した該色変換大域輝度信号と該色変換詳細輝度信号と該色変換入力色信号を用いて前記鑑賞画像参照データを生成する機能と、を実現させるためのプログラムであってもよい。
【手続補正１５３】
【補正対象書類名】明細書
【補正対象項目名】０２２８
【補正方法】変更
【補正の内容】
【０２２８】
また、前記コンピュータに、
前記入力画像データに付随する付加情報を取得する機能と、
取得した前記付加情報に基づいて前記色変換大域輝度信号および前記色変換詳細輝度信号の生成条件を決定する機能と、を実現させてもよい。
【手続補正１５４】
【補正対象書類名】明細書
【補正対象項目名】０２２９
【補正方法】変更
【補正の内容】
【０２２９】
また、前記付加情報に基づいてローパスフィルター特性が決定され、決定されたローパスフィルター特性に基づいて前記色変換大域輝度信号と前記色変換詳細輝度信号とが生成されてもよい。
【手続補正１５５】
【補正対象書類名】明細書
【補正対象項目名】０２３０
【補正方法】変更
【補正の内容】
【０２３０】
また、入力画像データに出力媒体上での鑑賞画像形成のために最適化する画像処理を施して鑑賞画像参照データを生成するための処理を実行するためのコンピュータに、
前記入力画像データから少なくとも色変換大域輝度信号と色変換−変換詳細輝度信号と色変換−差分詳細輝度信号と色変換入力色信号を取得する機能と、
少なくとも取得した該色変換大域輝度信号と該色変−換変換詳細輝度信号と該色変換−差分詳細輝度信号と該色変換入力色信号を用いて前記鑑賞画像参照データを生成する機能と、を実現させるためのプログラムであってもよい。
【手続補正１５６】
【補正対象書類名】明細書
【補正対象項目名】０２３１
【補正方法】変更
【補正の内容】
【０２３１】
また、入力画像データに出力媒体上での鑑賞画像形成のために最適化する画像処理を施して鑑賞画像参照データを生成するための処理を実行するためのコンピュータに、
前記入力画像データから少なくとも色変換大域輝度信号と色変換詳細輝度信号と色変換−変換入力色信号と色変換−差分入力色信号を取得する機能と、
少なくとも取得した該色変換大域輝度信号と該色変換詳細輝度信号と該色変換−変換入力色信号と該色変換−差分入力色信号を用いて前記鑑賞画像参照データを生成する機能と、を実現させるためのプログラムであってもよい。
【手続補正１５７】
【補正対象書類名】明細書
【補正対象項目名】０２３２
【補正方法】変更
【補正の内容】
【０２３２】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと色変換大域輝度信号と色変換詳細輝度信号と色変換入力色信号を取得する機能と、
少なくとも取得した該鑑賞画像参照データと該色変換大域輝度信号と該色変換詳細輝度信号と該色変換入力色信号を用いて改変された鑑賞画像参照データを生成する機能と、を実現させるためのプログラムであってもよい。
【手続補正１５８】
【補正対象書類名】明細書
【補正対象項目名】０２３３
【補正方法】変更
【補正の内容】
【０２３３】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと色変換大域輝度信号と色変換−変換詳細輝度信号と色変換−差分詳細輝度信号と色変換入力色信号を取得する機能と、
少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する機能と、を実現させるためのプログラムであってもよい。
【手続補正１５９】
【補正対象書類名】明細書
【補正対象項目名】０２３４
【補正方法】変更
【補正の内容】
【０２３４】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと色変換大域輝度信号と色変換詳細輝度信号と色変換−変換入力色信号と色変換−差分入力色信号を取得する機能と、
少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する機能と、を実現させるためのプログラムであってもよい。
【手続補正１６０】
【補正対象書類名】明細書
【補正対象項目名】０２３５
【補正方法】変更
【補正の内容】
【０２３５】
請求項１５〜２２記載の画像記録方法により構成される第３の発明群は、第２の発明群と近似する構成を有しており、第２の発明群において、入力画像データから入力輝度信号と入力色信号を生成する前に、入力画像データに色変換処理を施す点が異なる。
【手続補正１６１】
【補正対象書類名】明細書
【補正対象項目名】０２４１
【補正方法】変更
【補正の内容】
【０２４１】
特に、請求項１５記載の画像記録方法において、入力画像データに付随する付加情報を取得し、取得した付加情報に基づいて色変換大域輝度信号と色変換詳細輝度信号の生成条件を決定することが好ましい。
【手続補正１６２】
【補正対象書類名】明細書
【補正対象項目名】０２６６
【補正方法】変更
【補正の内容】
【０２６６】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成し、少なくとも該大域信号に変換処理を施して変換大域信号とするとともに、該変換大域信号と該大域信号から差分大域信号を生成する生成手段と、
少なくとも該変換大域信号と該詳細信号と該差分大域信号を前記記録媒体に記録する記録手段と、を備えてもよい。
【手続補正１６３】
【補正対象書類名】明細書
【補正対象項目名】０２６７
【補正方法】変更
【補正の内容】
【０２６７】
また、前記入力画像データに付随する付加情報を取得する取得手段と、
取得した前記付加情報に基づいて、少なくとも前記大域信号および前記詳細信号の生成条件を決定する大域・詳細信号生成条件決定手段と、を含んでもよい。
【手続補正１６４】
【補正対象書類名】明細書
【補正対象項目名】０２６８
【補正方法】変更
【補正の内容】
【０２６８】
また、前記付加情報に基づいてローパスフィルター特性を決定し、決定されたローパスフィルター特性に基づいて前記大域信号と詳細信号とを生成してもよい。
【手続補正１６５】
【補正対象書類名】明細書
【補正対象項目名】０２６９
【補正方法】変更
【補正の内容】
【０２６９】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成し、少なくとも該大域信号に変換処理を施して変換大域信号とし、該変換大域信号と該大域信号から差分大域信号を生成し、少なくとも該詳細信号に変換処理を施し変換詳細信号を生成するとともに、該詳細信号と該変換詳細信号から差分詳細信号を生成する生成手段と、
少なくとも該変換大域信号と該差分大域信号と該変換詳細信号と該差分詳細信号を前記記録媒体に記録する記録手段と、を備えてもよい。
【手続補正１６６】
【補正対象書類名】明細書
【補正対象項目名】０２７０
【補正方法】変更
【補正の内容】
【０２７０】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成し、少なくとも該大域信号に変換処理を施して変換大域信号とし、該変換大域信号と該大域信号から差分大域信号を生成するとともに、該変換大域信号と該詳細信号を用いて鑑賞画像参照データを生成する生成手段と、
少なくとも該鑑賞画像参照データと該変換大域信号と該差分大域信号と該詳細信号を前記記録媒体に記録する記録手段と、を備えてもよい。
【手続補正１６７】
【補正対象書類名】明細書
【補正対象項目名】０２７１
【補正方法】変更
【補正の内容】
【０２７１】
また、入力画像データに出力媒体上での鑑賞画像形成のために最適化する画像処理を施して、鑑賞画像参照データを生成するための画像データを記録媒体に記録する画像記録装置において、
前記入力画像データから大域信号と詳細信号を生成し、少なくとも該大域信号に変換処理を施して変換大域信号とし、該変換大域信号と該大域信号から差分大域信号を生成し、少なくとも該詳細信号に変換処理を施して変換詳細信号を生成し、該詳細信号と該変換詳細信号から差分詳細信号を生成するとともに、該変換大域信号と該変換詳細信号を用いて鑑賞画像参照データを生成する生成手段と、
少なくとも該鑑賞画像参照データと該変換大域信号と該差分大域信号と該変換詳細信号と該差分詳細信号を前記記録媒体に記録する記録手段と、を備えてもよい。
【手続補正１６８】
【補正対象書類名】明細書
【補正対象項目名】０２７２
【補正方法】変更
【補正の内容】
【０２７２】
また、入力画像データに出力媒体上での鑑賞画像形成のために最適化する画像処理を施して鑑賞画像参照データを生成する画像処理方法において、
前記入力画像データから少なくとも変換大域信号と詳細信号と差分大域信号を取得する工程と、
少なくとも取得した該変換大域信号と該詳細信号と該差分大域信号を用いて前記鑑賞画像参照データを生成する工程と、を含んでもよい。
【手続補正１６９】
【補正対象書類名】明細書
【補正対象項目名】０２７３
【補正方法】変更
【補正の内容】
【０２７３】
また、前記入力画像データに付随する付加情報を取得する工程と、
取得した前記付加情報に基づいて、少なくとも前記大域信号および前記詳細信号の生成条件を決定する大域・詳細信号決定工程と、を含んでもよい。
【手続補正１７０】
【補正対象書類名】明細書
【補正対象項目名】０２７４
【補正方法】変更
【補正の内容】
【０２７４】
また、前記付加情報に基づいてローパスフィルター特性を決定し、決定されたローパスフィルター特性に基づいて前記大域信号と詳細信号とを生成してもよい。
【手続補正１７１】
【補正対象書類名】明細書
【補正対象項目名】０２７５
【補正方法】変更
【補正の内容】
【０２７５】
また、入力画像データに出力媒体上での鑑賞画像形成のために最適化する画像処理を施して鑑賞画像参照データを生成する画像処理方法において、
前記入力画像データから少なくとも変換大域信号と差分大域信号と詳細信号と差分詳細信号を取得する工程と、
少なくとも取得した該変換大域信号と該差分大域信号と該変換詳細信号と該差分詳細信号を用いて前記鑑賞画像参照データを生成する工程と、を含んでもよい。
【手続補正１７２】
【補正対象書類名】明細書
【補正対象項目名】０２７６
【補正方法】変更
【補正の内容】
【０２７６】
また、入力画像データに出力媒体上での鑑賞画像形成のために最適化する画像処理を施して鑑賞画像参照データを生成する画像処理方法において、
前記入力画像データから少なくとも鑑賞画像参照データと変換大域信号と差分大域信号と詳細信号を取得する工程と、
少なくとも取得した該鑑賞画像参照データと該変換大域信号と該差分大域信号と該詳細信号を用いて改変された鑑賞画像参照データを生成する工程と、を含んでもよい。
【手続補正１７３】
【補正対象書類名】明細書
【補正対象項目名】０２７７
【補正方法】変更
【補正の内容】
【０２７７】
また、入力画像データに出力媒体上での鑑賞画像形成のために最適化する画像処理を施して鑑賞画像参照データを生成する画像処理方法において、
前記入力画像データから少なくとも鑑賞画像参照データと変換大域信号と差分大域信号と変換詳細信号と差分詳細信号を取得する工程と、
少なくとも取得した該鑑賞画像参照データと該変換大域信号と該差分大域信号と該詳細信号と該差分詳細信号を用いて、改変された鑑賞画像参照データを生成する工程と、を含んでもよい。
【手続補正１７４】
【補正対象書類名】明細書
【補正対象項目名】０２７８
【補正方法】変更
【補正の内容】
【０２７８】
また、入力画像データに出力媒体上での鑑賞画像形成のために最適化する画像処理を施して鑑賞画像参照データを生成する画像処理装置において、
前記入力画像データから少なくとも変換大域信号と詳細信号と差分大域信号を取得する取得手段と、
少なくとも取得した該変換大域信号と該詳細信号と該差分大域信号を用いて前記鑑賞画像参照データを生成する生成手段と、を備えてもよい。
【手続補正１７５】
【補正対象書類名】明細書
【補正対象項目名】０２７９
【補正方法】変更
【補正の内容】
【０２７９】
また、前記入力画像データに付随する付加情報を取得する手段と、
取得した前記付加情報に基づいて、少なくとも前記大域信号および前記詳細信号の生成条件を決定する大域・詳細信号生成条件決定手段と、を備えてもよい。
【手続補正１７６】
【補正対象書類名】明細書
【補正対象項目名】０２８０
【補正方法】変更
【補正の内容】
【０２８０】
また、前記付加情報に基づいてローパスフィルター特性を決定し、決定されたローパスフィルター特性に基づいて前記大域信号と詳細信号とを生成してもよい。
【手続補正１７７】
【補正対象書類名】明細書
【補正対象項目名】０２８１
【補正方法】変更
【補正の内容】
【０２８１】
また、入力画像データに出力媒体上での鑑賞画像形成のために最適化する画像処理を施して鑑賞画像参照データを生成する画像処理装置において、
前記入力画像データから少なくとも変換大域信号と差分大域信号と詳細信号と差分詳細信号を取得する取得手段と、
少なくとも取得した該変換大域信号と該差分大域信号と該変換詳細信号と該差分詳細信号を用いて前記鑑賞画像参照データを生成する生成手段と、を備えてもよい。
【手続補正１７８】
【補正対象書類名】明細書
【補正対象項目名】０２８２
【補正方法】変更
【補正の内容】
【０２８２】
また、入力画像データに出力媒体上での鑑賞画像形成のために最適化する画像処理を施して鑑賞画像参照データを生成する画像処理装置において、
前記入力画像データから少なくとも鑑賞画像参照データと変換大域信号と差分大域信号と詳細信号を取得する取得手段と、
少なくとも取得した該鑑賞画像参照データと該変換大域信号と該差分大域信号と該詳細信号を用いて改変された鑑賞画像参照データを生成する生成手段と、を備えてもよい。
【手続補正１７９】
【補正対象書類名】明細書
【補正対象項目名】０２８３
【補正方法】変更
【補正の内容】
【０２８３】
また、入力画像データに出力媒体上での鑑賞画像形成のために最適化する画像処理を施して鑑賞画像参照データを生成する画像処理装置において、
前記入力画像データから少なくとも鑑賞画像参照データと変換大域信号と差分大域信号と変換詳細信号と差分詳細信号を取得する取得手段と、
少なくとも取得した該鑑賞画像参照データと該変換大域信号と該差分大域信号と該詳細信号と該差分詳細信号を用いて、改変された鑑賞画像参照データを生成する生成手段と、を備えてもよい。
【手続補正１８０】
【補正対象書類名】明細書
【補正対象項目名】０２８４
【補正方法】変更
【補正の内容】
【０２８４】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該大域信号に変換処理を施して変換大域信号とする機能と、
該変換大域信号と該大域信号から差分大域信号を生成する機能と、
少なくとも該変換大域信号と該詳細信号と該差分大域信号を前記記録媒体に記録する機能と、
を含むプログラムを記録してもよい。
【手続補正１８１】
【補正対象書類名】明細書
【補正対象項目名】０２８５
【補正方法】変更
【補正の内容】
【０２８５】
また、前記プログラムは、
前記入力画像データに付随する付加情報を取得する機能と、
取得した前記付加情報に基づいて、少なくとも前記大域信号および前記詳細信号の生成条件を決定する機能と、を含んでもよい。
【手続補正１８２】
【補正対象書類名】明細書
【補正対象項目名】０２８６
【補正方法】変更
【補正の内容】
【０２８６】
また、前記プログラムにおいて、前記付加情報に基づいてローパスフィルター特性が決定され、決定されたローパスフィルター特性に基づいて前記大域信号と詳細信号とが生成されてもよい。
【手続補正１８３】
【補正対象書類名】明細書
【補正対象項目名】０２８７
【補正方法】変更
【補正の内容】
【０２８７】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該大域信号に変換処理を施して変換大域信号とする機能と、
該変換大域信号と該大域信号から差分大域信号を生成する機能と、
少なくとも該詳細信号に変換処理を施し変換詳細信号を生成する機能と、
該詳細信号と該変換詳細信号から差分詳細信号を生成する機能と、
少なくとも該変換大域信号と該差分大域信号と該変換詳細信号と該差分詳細信号を前記記録媒体に記録する機能と、
を含むプログラムを記録してもよい。
【手続補正１８４】
【補正対象書類名】明細書
【補正対象項目名】０２８８
【補正方法】変更
【補正の内容】
【０２８８】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該大域信号に変換処理を施して変換大域信号とする機能と、
該変換大域信号と該大域信号から差分大域信号を生成する機能と、
該変換大域信号と該詳細信号を用いて鑑賞画像参照データを生成する機能と、
少なくとも該鑑賞画像参照データと該変換大域信号と該差分大域信号と該詳細信号を前記記録媒体に記録する機能と、
を含むプログラムを記録してもよい。
【手続補正１８５】
【補正対象書類名】明細書
【補正対象項目名】０２８９
【補正方法】変更
【補正の内容】
【０２８９】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから大域信号と詳細信号を生成する機能と、
少なくとも該大域信号に変換処理を施して変換大域信号とする機能と、
該変換大域信号と該大域信号から差分大域信号を生成する機能と、
少なくとも該詳細信号に変換処理を施して変換詳細信号を生成する機能と、
該詳細信号と該変換詳細信号から差分詳細信号を生成する機能と、
該変換大域信号と該変換詳細信号を用いて鑑賞画像参照データを生成する機能と、
少なくとも該鑑賞画像参照データと該変換大域信号と該差分大域信号と該変換詳細信号と該差分詳細信号を前記記録媒体に記録する機能と、
を含むプログラムを記録してもよい。
【手続補正１８６】
【補正対象書類名】明細書
【補正対象項目名】０２９０
【補正方法】変更
【補正の内容】
【０２９０】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも変換大域信号と詳細信号と差分大域信号を取得する機能と、
少なくとも取得した該変換大域信号と該詳細信号と該差分大域信号を用いて前記鑑賞画像参照データを生成する機能と、
を含むプログラムを記録してもよい。
【手続補正１８７】
【補正対象書類名】明細書
【補正対象項目名】０２９１
【補正方法】変更
【補正の内容】
【０２９１】
また、前記プログラムは、
前記入力画像データに付随する付加情報を取得する機能と、
取得した前記付加情報に基づいて、少なくとも前記大域信号および前記詳細信号の生成条件を決定する機能と、を含んでもよい。
【手続補正１８８】
【補正対象書類名】明細書
【補正対象項目名】０２９２
【補正方法】変更
【補正の内容】
【０２９２】
また、前記プログラムにおいて、前記付加情報に基づいてローパスフィルター特性が決定され、決定されたローパスフィルター特性に基づいて前記大域信号と詳細信号とが生成されてもよい。
【手続補正１８９】
【補正対象書類名】明細書
【補正対象項目名】０２９３
【補正方法】変更
【補正の内容】
【０２９３】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも変換大域信号と差分大域信号と詳細信号と差分詳細信号を取得する機能と、
少なくとも取得した該変換大域信号と該差分大域信号と該変換詳細信号と該差分詳細信号を用いて前記鑑賞画像参照データを生成する機能と、
を含むプログラムを記録してもよい。
【手続補正１９０】
【補正対象書類名】明細書
【補正対象項目名】０２９４
【補正方法】変更
【補正の内容】
【０２９４】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと変換大域信号と差分大域信号と詳細信号を取得する機能と、
少なくとも取得した該鑑賞画像参照データと該変換大域信号と該差分大域信号と該詳細信号を用いて改変された鑑賞画像参照データを生成する機能と、
を含むプログラムを記録してもよい。
【手続補正１９１】
【補正対象書類名】明細書
【補正対象項目名】０２９５
【補正方法】変更
【補正の内容】
【０２９５】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと変換大域信号と差分大域信号と変換詳細信号と差分詳細信号を取得する機能と、
少なくとも取得した該鑑賞画像参照データと該変換大域信号と該差分大域信号と該詳細信号と該差分詳細信号を用いて、改変された鑑賞画像参照データを生成する機能と、
を含むプログラムを記録してもよい。
【手続補正１９２】
【補正対象書類名】明細書
【補正対象項目名】０２９６
【補正方法】変更
【補正の内容】
【０２９６】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該大域信号に変換処理を施して変換大域信号とする機能と、
該変換大域信号と該大域信号から差分大域信号を生成する機能と、
少なくとも該変換大域信号と該詳細信号と該差分大域信号を前記記録媒体に記録する機能と、を実現させるためのプログラムであってもよい。
【手続補正１９３】
【補正対象書類名】明細書
【補正対象項目名】０２９７
【補正方法】変更
【補正の内容】
【０２９７】
また、前記コンピュータに、
前記入力画像データに付随する付加情報を取得する機能と、
取得した前記付加情報に基づいて、少なくとも前記大域信号および前記詳細信号の生成条件を決定する機能と、を実現させてもよい。
【手続補正１９４】
【補正対象書類名】明細書
【補正対象項目名】０２９８
【補正方法】変更
【補正の内容】
【０２９８】
また、前記付加情報に基づいてローパスフィルター特性が決定され、決定されたローパスフィルター特性に基づいて前記大域信号と詳細信号とが生成されてもよい。
【手続補正１９５】
【補正対象書類名】明細書
【補正対象項目名】０２９９
【補正方法】変更
【補正の内容】
【０２９９】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該大域信号に変換処理を施して変換大域信号とする機能と、
該変換大域信号と該大域信号から差分大域信号を生成する機能と、
少なくとも該詳細信号に変換処理を施し変換詳細信号を生成する機能と、
該詳細信号と該変換詳細信号から差分詳細信号を生成する機能と、
少なくとも該変換大域信号と該差分大域信号と該変換詳細信号と該差分詳細信号を前記記録媒体に記録する機能と、を実現させるためのプログラムであってもよい。
【手続補正１９６】
【補正対象書類名】明細書
【補正対象項目名】０３００
【補正方法】変更
【補正の内容】
【０３００】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該大域信号に変換処理を施して変換大域信号とする機能と、
該変換大域信号と該大域信号から差分大域信号を生成する機能と、
該変換大域信号と該詳細信号を用いて鑑賞画像参照データを生成する機能と、
少なくとも該鑑賞画像参照データと該変換大域信号と該差分大域信号と該詳細信号を前記記録媒体に記録する機能と、を実現させるためのプログラムであってもよい。
【手続補正１９７】
【補正対象書類名】明細書
【補正対象項目名】０３０１
【補正方法】変更
【補正の内容】
【０３０１】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから大域信号と詳細信号を生成する機能と、
少なくとも該大域信号に変換処理を施して変換大域信号とする機能と、
該変換大域信号と該大域信号から差分大域信号を生成する機能と、
少なくとも該詳細信号に変換処理を施して変換詳細信号を生成する機能と、
該詳細信号と該変換詳細信号から差分詳細信号を生成する機能と、
該変換大域信号と該変換詳細信号を用いて鑑賞画像参照データを生成する機能と、
少なくとも該鑑賞画像参照データと該変換大域信号と該差分大域信号と該変換詳細信号と該差分詳細信号を前記記録媒体に記録する機能と、を実現させるためのプログラムであってもよい。
【手続補正１９８】
【補正対象書類名】明細書
【補正対象項目名】０３０２
【補正方法】変更
【補正の内容】
【０３０２】
また、入力画像データに出力媒体上での鑑賞画像形成のために最適化する画像処理を施して鑑賞画像参照データを生成するための処理を実行するためのコンピュータに、
前記入力画像データから少なくとも変換大域信号と詳細信号と差分大域信号を取得する機能と、
少なくとも取得した該変換大域信号と該詳細信号と該差分大域信号を用いて前記鑑賞画像参照データを生成する機能と、を実現させるためのプログラムであってもよい。
【手続補正１９９】
【補正対象書類名】明細書
【補正対象項目名】０３０３
【補正方法】変更
【補正の内容】
【０３０３】
また、前記コンピュータに、
前記入力画像データに付随する付加情報を取得する機能と、
取得した前記付加情報に基づいて、少なくとも前記大域信号および前記詳細信号の生成条件を決定する機能と、を実現させてもよい。
【手続補正２００】
【補正対象書類名】明細書
【補正対象項目名】０３０４
【補正方法】変更
【補正の内容】
【０３０４】
また、前記付加情報に基づいてローパスフィルター特性が決定され、決定されたローパスフィルター特性に基づいて前記大域信号と詳細信号とが生成されてもよい。
【手続補正２０１】
【補正対象書類名】明細書
【補正対象項目名】０３０５
【補正方法】変更
【補正の内容】
【０３０５】
また、入力画像データに出力媒体上での鑑賞画像形成のために最適化する画像処理を施して鑑賞画像参照データを生成するための処理を実行するためのコンピュータに、
前記入力画像データから少なくとも変換大域信号と差分大域信号と詳細信号と差分詳細信号を取得する機能と、
少なくとも取得した該変換大域信号と該差分大域信号と該変換詳細信号と該差分詳細信号を用いて前記鑑賞画像参照データを生成する機能と、を実現させるためのプログラムであってもよい。
【手続補正２０２】
【補正対象書類名】明細書
【補正対象項目名】０３０６
【補正方法】変更
【補正の内容】
【０３０６】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと変換大域信号と差分大域信号と詳細信号を取得する機能と、
少なくとも取得した該鑑賞画像参照データと該変換大域信号と該差分大域信号と該詳細信号を用いて改変された鑑賞画像参照データを生成する機能と、を実現させるためのプログラムであってもよい。
【手続補正２０３】
【補正対象書類名】明細書
【補正対象項目名】０３０７
【補正方法】変更
【補正の内容】
【０３０７】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと変換大域信号と差分大域信号と変換詳細信号と差分詳細信号を取得する機能と、
少なくとも取得した該鑑賞画像参照データと該変換大域信号と該差分大域信号と該詳細信号と該差分詳細信号を用いて、改変された鑑賞画像参照データを生成する機能と、を実現させるためのプログラムであってもよい。
【手続補正２０４】
【補正対象書類名】明細書
【補正対象項目名】０３０８
【補正方法】変更
【補正の内容】
【０３０８】
第４の発明群は、請求項２３〜２８記載の画像記録方法により構成される。
【手続補正２０５】
【補正対象書類名】明細書
【補正対象項目名】０３１１
【補正方法】変更
【補正の内容】
【０３１１】
特に、請求項２３記載の画像記録方法において、入力画像データに付随する付加情報を取得し、取得した付加情報に基づいて少なくとも大域信号および詳細信号の生成条件決定することが好ましい。
【手続補正２０６】
【補正対象書類名】明細書
【補正対象項目名】０３３１
【補正方法】変更
【補正の内容】
【０３３１】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該大域輝度信号に変換処理を施して変換大域輝度信号とするとともに、該変換大域輝度信号と該大域輝度信号から差分大域輝度信号を生成する生成手段と、
少なくとも該変換大域輝度信号と該差分大域輝度信号と該詳細輝度信号と該入力色信号を前記記録媒体に記録する記録手段と、を備えてもよい。
【手続補正２０７】
【補正対象書類名】明細書
【補正対象項目名】０３３２
【補正方法】変更
【補正の内容】
【０３３２】
また、前記入力画像データに付随する付加情報を取得する取得手段と、
取得した前記付加情報に基づいて、少なくとも前記大域輝度信号および前記詳細輝度信号の生成条件を決定する大域・詳細輝度信号生成条件決定手段と、を含んでもよい。
【手続補正２０８】
【補正対象書類名】明細書
【補正対象項目名】０３３３
【補正方法】変更
【補正の内容】
【０３３３】
また、前記付加情報に基づいてローパスフィルター特性を決定し、決定されたローパスフィルター特性に基づいて前記大域輝度信号と詳細輝度信号とを生成してもよい。
【手続補正２０９】
【補正対象書類名】明細書
【補正対象項目名】０３３４
【補正方法】変更
【補正の内容】
【０３３４】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該詳細輝度信号に変換処理を施して変換詳細輝度信号とするとともに、該変換詳細輝度信号と該大域輝度信号から差分詳細輝度信号を生成する生成手段と、
少なくとも該変換大域輝度信号と該差分大域輝度信号と該変換詳細輝度信号と該差分詳細輝度信号と該入力色信号を前記記録媒体に記録する記録手段と、を備えてもよい。
【手続補正２１０】
【補正対象書類名】明細書
【補正対象項目名】０３３５
【補正方法】変更
【補正の内容】
【０３３５】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該入力色信号に変換処理を施して変換入力色信号とするとともに、該変換入力色信号と該入力色信号から差分入力色信号を生成する生成手段と、
少なくとも該変換大域輝度信号と該差分大域輝度信号と該詳細輝度信号と該変換入力色信号と該差分入力色信号を前記記録媒体に記録する記録手段と、を備えてもよい。
【手続補正２１１】
【補正対象書類名】明細書
【補正対象項目名】０３３６
【補正方法】変更
【補正の内容】
【０３３６】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成するとともに、少なくとも該変換大域輝度信号と該詳細輝度信号と該入力色信号を用いて鑑賞画像参照データを生成する生成手段と、
少なくとも該鑑賞画像参照データと該変換大域輝度信号と該差分大域輝度信号と該該詳細輝度信号と該入力色信号を前記記録媒体に記録する記録手段と、を備えてもよい。
【手続補正２１２】
【補正対象書類名】明細書
【補正対象項目名】０３３７
【補正方法】変更
【補正の内容】
【０３３７】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該大域輝度信号に変換処理を施して変換大域輝度信号し、該変換大域輝度信号と該大域輝度信号から差分大域輝度信号を生成し、少なくとも詳細輝度信号に変換処理を施して変換詳細輝度信号とし、該変換詳細輝度信号と該大域輝度信号から差分詳細輝度信号を生成するとともに、少なくとも該変換大域輝度信号と該変換詳細輝度信号と該入力色信号を用いて鑑賞画像参照データを生成する生成手段と、
少なくとも該鑑賞画像参照データと該変換大域輝度信号と該差分大域輝度信号と該変換該詳細輝度信号と該差分詳細輝度信号と該入力色信号を前記記録媒体に記録する記録手段と、を備えてもよい。
【手続補正２１３】
【補正対象書類名】明細書
【補正対象項目名】０３３８
【補正方法】変更
【補正の内容】
【０３３８】
また、入力画像データに出力媒体上での鑑賞画像形成のために最適化する画像処理を施して、鑑賞画像参照データを生成するための画像データを記録媒体に記録する画像記録装置において、
前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該入力色信号に変換処理を施して変換入力色信号とし、該変換入力色信号と該入力色信号から差分入力色信号を生成するとともに、少なくとも該変換大域輝度信号と該詳細輝度信号と該変換入力色信号を用いて鑑賞画像参照データを生成する生成手段と、
少なくとも該変換大域輝度信号と該差分大域輝度信号と該詳細輝度信号と該変換入力色信号と該差分入力色信号を前記記録媒体に記録する記録手段と、を備えてもよい。
【手続補正２１４】
【補正対象書類名】明細書
【補正対象項目名】０３３９
【補正方法】変更
【補正の内容】
【０３３９】
また、入力画像データに出力媒体上での鑑賞画像形成のために最適化する画像処理を施して鑑賞画像参照データを生成する画像処理方法において、
前記入力画像データから少なくとも変換大域輝度信号と差分大域輝度信号と詳細輝度信号と入力色信号を取得する工程と、
少なくとも取得した該変換大域輝度信号と該差分大域輝度信号と該詳細輝度信号と該入力色信号を用いて、鑑賞画像参照データを生成する工程と、を含んでもよい。
【手続補正２１５】
【補正対象書類名】明細書
【補正対象項目名】０３４０
【補正方法】変更
【補正の内容】
【０３４０】
また、前記入力画像データに付随する付加情報を取得する工程と、
取得した前記付加情報に基づいて、少なくとも前記大域輝度信号および前記詳細輝度信号の生成条件を決定する大域・詳細輝度信号生成条件決定工程と、を含んでもよい。
【手続補正２１６】
【補正対象書類名】明細書
【補正対象項目名】０３４１
【補正方法】変更
【補正の内容】
【０３４１】
また、前記付加情報に基づいてローパスフィルター特性を決定し、決定されたローパスフィルター特性に基づいて前記大域輝度信号と詳細輝度信号とを生成してもよい。
【手続補正２１７】
【補正対象書類名】明細書
【補正対象項目名】０３４２
【補正方法】変更
【補正の内容】
【０３４２】
また、入力画像データに出力媒体上での鑑賞画像形成のために最適化する画像処理を施して鑑賞画像参照データを生成する画像処理方法において、
前記入力画像データから少なくとも変換大域輝度信号と差分大域輝度信号と変換詳細輝度信号と差分詳細輝度信号と入力色信号を取得する工程と、
少なくとも取得した該変換大域輝度信号と該差分大域輝度信号と該変換該詳細輝度信号と該差分詳細輝度信号と該入力色信号を用いて、鑑賞画像参照データを生成する工程と、を含んでもよい。
【手続補正２１８】
【補正対象書類名】明細書
【補正対象項目名】０３４３
【補正方法】変更
【補正の内容】
【０３４３】
また、入力画像データに出力媒体上での鑑賞画像形成のために最適化する画像処理を施して鑑賞画像参照データを生成する画像処理方法において、
前記入力画像データから少なくとも変換大域輝度信号と差分大域輝度信号と詳細輝度信号と変換入力色信号と差分入力色信号を取得する工程と、
少なくとも取得した該変換大域輝度信号と該差分大域輝度信号と該詳細輝度信号と該変換入力色信号と該差分入力色信号を用いて、鑑賞画像参照データを生成する工程と、を含んでもよい。
【手続補正２１９】
【補正対象書類名】明細書
【補正対象項目名】０３４４
【補正方法】変更
【補正の内容】
【０３４４】
また、入力画像データに出力媒体上での鑑賞画像形成のために最適化する画像処理を施して鑑賞画像参照データを生成する画像処理方法において、
前記入力画像データから少なくとも鑑賞画像参照データと変換大域輝度信号と差分大域輝度信号と詳細輝度信号と入力色信号を取得する工程と、
少なくとも取得した該鑑賞画像参照データと該変換大域輝度信号と該差分大域輝度信号と該詳細輝度信号と該入力色信号を用いて、改変された鑑賞画像参照データを生成する工程と、を含んでもよい。
【手続補正２２０】
【補正対象書類名】明細書
【補正対象項目名】０３４５
【補正方法】変更
【補正の内容】
【０３４５】
また、入力画像データに出力媒体上での鑑賞画像形成のために最適化する画像処理を施して鑑賞画像参照データを生成する画像処理方法において、
前記入力画像データから鑑賞画像参照データと変換大域輝度信号と差分大域輝度信号と変換詳細輝度信号と差分詳細輝度信号と入力色信号を取得する工程と、
少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する工程と、を含んでもよい。
【手続補正２２１】
【補正対象書類名】明細書
【補正対象項目名】０３４６
【補正方法】変更
【補正の内容】
【０３４６】
また、入力画像データに出力媒体上での鑑賞画像形成のために最適化する画像処理を施して鑑賞画像参照データを生成する画像処理方法において、
前記入力画像データから少なくとも鑑賞画像参照データと変換大域輝度信号と差分大域輝度信号と詳細輝度信号と変換入力色信号と差分入力色信号を取得する工程と、
少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する工程と、を含んでもよい。
【手続補正２２２】
【補正対象書類名】明細書
【補正対象項目名】０３４７
【補正方法】変更
【補正の内容】
【０３４７】
また、入力画像データに出力媒体上での鑑賞画像形成のために最適化する画像処理を施して鑑賞画像参照データを生成する画像処理装置において、
前記入力画像データから少なくとも変換大域輝度信号と差分大域輝度信号と詳細輝度信号と入力色信号を取得する取得手段と、
少なくとも取得した該変換大域輝度信号と該差分大域輝度信号と該詳細輝度信号と該入力色信号を用いて、鑑賞画像参照データを生成する生成手段と、を備えてもよい。
【手続補正２２３】
【補正対象書類名】明細書
【補正対象項目名】０３４８
【補正方法】変更
【補正の内容】
【０３４８】
また、前記入力画像データに付随する付加情報を取得する手段と、
取得した前記付加情報に基づいて、少なくとも前記大域輝度信号および前記詳細輝度信号の生成条件を決定する大域・詳細輝度信号生成条件決定手段と、を備えてもよい。
【手続補正２２４】
【補正対象書類名】明細書
【補正対象項目名】０３４９
【補正方法】変更
【補正の内容】
【０３４９】
また、前記付加情報に基づいてローパスフィルター特性を決定し、決定されたローパスフィルター特性に基づいて前記大域輝度信号と詳細輝度信号とを生成してもよい。
【手続補正２２５】
【補正対象書類名】明細書
【補正対象項目名】０３５０
【補正方法】変更
【補正の内容】
【０３５０】
また、入力画像データに出力媒体上での鑑賞画像形成のために最適化する画像処理を施して鑑賞画像参照データを生成する画像処理装置において、
前記入力画像データから少なくとも変換大域輝度信号と差分大域輝度信号と変換詳細輝度信号と差分詳細輝度信号と入力色信号を取得する取得手段と、
少なくとも取得した該変換大域輝度信号と該差分大域輝度信号と該変換該詳細輝度信号と該差分詳細輝度信号と該入力色信号を用いて、鑑賞画像参照データを生成する生成手段と、を備えてもよい。
【手続補正２２６】
【補正対象書類名】明細書
【補正対象項目名】０３５１
【補正方法】変更
【補正の内容】
【０３５１】
また、入力画像データに出力媒体上での鑑賞画像形成のために最適化する画像処理を施して鑑賞画像参照データを生成する画像処理装置において、
前記入力画像データから少なくとも変換大域輝度信号と差分大域輝度信号と詳細輝度信号と変換入力色信号と差分入力色信号を取得する取得手段と、
少なくとも取得した該変換大域輝度信号と該差分大域輝度信号と該詳細輝度信号と該変換入力色信号と該差分入力色信号を用いて、鑑賞画像参照データを生成する生成手段と、を備えてもよい。
【手続補正２２７】
【補正対象書類名】明細書
【補正対象項目名】０３５２
【補正方法】変更
【補正の内容】
【０３５２】
また、入力画像データに出力媒体上での鑑賞画像形成のために最適化する画像処理を施して鑑賞画像参照データを生成する画像処理装置において、
前記入力画像データから少なくとも鑑賞画像参照データと変換大域輝度信号と差分大域輝度信号と詳細輝度信号と入力色信号を取得する取得手段と、
少なくとも取得した該鑑賞画像参照データと該変換大域輝度信号と該差分大域輝度信号と該詳細輝度信号と該入力色信号を用いて、改変された鑑賞画像参照データを生成する生成手段と、を備えてもよい。
【手続補正２２８】
【補正対象書類名】明細書
【補正対象項目名】０３５３
【補正方法】変更
【補正の内容】
【０３５３】
また、入力画像データに出力媒体上での鑑賞画像形成のために最適化する画像処理を施して鑑賞画像参照データを生成する画像処理装置において、
前記入力画像データから鑑賞画像参照データと変換大域輝度信号と差分大域輝度信号と変換詳細輝度信号と差分詳細輝度信号と入力色信号を取得する取得手段と、
少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する生成手段と、を備えてもよい。
【手続補正２２９】
【補正対象書類名】明細書
【補正対象項目名】０３５４
【補正方法】変更
【補正の内容】
【０３５４】
また、入力画像データに出力媒体上での鑑賞画像形成のために最適化する画像処理を施して鑑賞画像参照データを生成する画像処理装置において、
前記入力画像データから少なくとも鑑賞画像参照データと変換大域輝度信号と差分大域輝度信号と詳細輝度信号と変換入力色信号と差分入力色信号を取得する取得手段と、
少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する生成手段と、を備えてもよい。
【手続補正２３０】
【補正対象書類名】明細書
【補正対象項目名】０３５５
【補正方法】変更
【補正の内容】
【０３５５】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該変換大域輝度信号と該差分大域輝度信号と該詳細輝度信号と該入力色信号を前記記録媒体に記録する機能と、
を含むプログラムを記録してもよい。
【手続補正２３１】
【補正対象書類名】明細書
【補正対象項目名】０３５６
【補正方法】変更
【補正の内容】
【０３５６】
また、前記プログラムは、
前記入力画像データに付随する付加情報を取得する機能と、
取得した前記付加情報に基づいて、少なくとも前記大域輝度信号および前記詳細輝度信号の生成条件を決定する機能と、を含んでもよい。
【手続補正２３２】
【補正対象書類名】明細書
【補正対象項目名】０３５７
【補正方法】変更
【補正の内容】
【０３５７】
また、前記プログラムにおいて、前記付加情報に基づいてローパスフィルター特性が決定され、決定されたローパスフィルター特性に基づいて前記大域輝度信号と詳細輝度信号とが生成されてもよい。
【手続補正２３３】
【補正対象書類名】明細書
【補正対象項目名】０３５８
【補正方法】変更
【補正の内容】
【０３５８】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該詳細輝度信号に変換処理を施して変換詳細輝度信号とする機能と、
該変換詳細輝度信号と該大域輝度信号から差分詳細輝度信号を生成する機能と、
少なくとも該変換大域輝度信号と該差分大域輝度信号と該変換詳細輝度信号と該差分詳細輝度信号と該入力色信号を前記記録媒体に記録する機能と、
を含むプログラムを記録してもよい。
【手続補正２３４】
【補正対象書類名】明細書
【補正対象項目名】０３５９
【補正方法】変更
【補正の内容】
【０３５９】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該入力色信号に変換処理を施して変換入力色信号とする機能と、
該変換入力色信号と該入力色信号から差分入力色信号を生成する機能と、
少なくとも該変換大域輝度信号と該差分大域輝度信号と該詳細輝度信号と該変換入力色信号と該差分入力色信号を前記記録媒体に記録する機能と、
を含むプログラムを記録してもよい。
【手続補正２３５】
【補正対象書類名】明細書
【補正対象項目名】０３６０
【補正方法】変更
【補正の内容】
【０３６０】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該変換大域輝度信号と該詳細輝度信号と該入力色信号を用いて鑑賞画像参照データを生成する機能と、
少なくとも該鑑賞画像参照データと該変換大域輝度信号と該差分大域輝度信号と該該詳細輝度信号と該入力色信号を前記記録媒体に記録する機能と、
を含むプログラムを記録してもよい。
【手続補正２３６】
【補正対象書類名】明細書
【補正対象項目名】０３６１
【補正方法】変更
【補正の内容】
【０３６１】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも詳細輝度信号に変換処理を施して変換詳細輝度信号とする機能と、
該変換詳細輝度信号と該大域輝度信号から差分詳細輝度信号を生成する機能と、
少なくとも該変換大域輝度信号と該変換詳細輝度信号と該入力色信号を用いて鑑賞画像参照データを生成する機能と、
少なくとも該鑑賞画像参照データと該変換大域輝度信号と該差分大域輝度信号と該変換該詳細輝度信号と該差分詳細輝度信号と該入力色信号を前記記録媒体に記録する機能と、
を含むプログラムを記録してもよい。
【手続補正２３７】
【補正対象書類名】明細書
【補正対象項目名】０３６２
【補正方法】変更
【補正の内容】
【０３６２】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該入力色信号に変換処理を施して変換入力色信号とする機能と、
該変換入力色信号と該入力色信号から差分入力色信号を生成する機能と、
少なくとも該変換大域輝度信号と該詳細輝度信号と該変換入力色信号を用いて鑑賞画像参照データを生成する機能と、
少なくとも該変換大域輝度信号と該差分大域輝度信号と該詳細輝度信号と該変換入力色信号と該差分入力色信号を前記記録媒体に記録する機能と、
を含むプログラムを記録してもよい。
【手続補正２３８】
【補正対象書類名】明細書
【補正対象項目名】０３６３
【補正方法】変更
【補正の内容】
【０３６３】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも変換大域輝度信号と差分大域輝度信号と詳細輝度信号と入力色信号を取得する機能と、
少なくとも取得した該変換大域輝度信号と該差分大域輝度信号と該詳細輝度信号と該入力色信号を用いて、鑑賞画像参照データを生成する機能と、
を含むプログラムを記録してもよい。
【手続補正２３９】
【補正対象書類名】明細書
【補正対象項目名】０３６４
【補正方法】変更
【補正の内容】
【０３６４】
また、前記プログラムは、
前記入力画像データに付随する付加情報を取得する機能と、
取得した前記付加情報に基づいて、少なくとも前記大域輝度信号と前記詳細輝度信号の生成条件を決定する機能と、を含んでもよい。
【手続補正２４０】
【補正対象書類名】明細書
【補正対象項目名】０３６５
【補正方法】変更
【補正の内容】
【０３６５】
また、前記プログラムにおいて、前記付加情報に基づいてローパスフィルター特性が決定され、決定されたローパスフィルター特性に基づいて前記大域輝度信号と詳細輝度信号とが生成されてもよい。
【手続補正２４１】
【補正対象書類名】明細書
【補正対象項目名】０３６６
【補正方法】変更
【補正の内容】
【０３６６】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも変換大域輝度信号と差分大域輝度信号と変換詳細輝度信号と差分詳細輝度信号と入力色信号を取得する機能と、
少なくとも取得した該変換大域輝度信号と該差分大域輝度信号と該変換該詳細輝度信号と該差分詳細輝度信号と該入力色信号を用いて、鑑賞画像参照データを生成する機能と、
を含むプログラムを記録してもよい。
【手続補正２４２】
【補正対象書類名】明細書
【補正対象項目名】０３６７
【補正方法】変更
【補正の内容】
【０３６７】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも変換大域輝度信号と差分大域輝度信号と詳細輝度信号と変換入力色信号と差分入力色信号を取得する機能と、
少なくとも取得した該変換大域輝度信号と該差分大域輝度信号と該詳細輝度信号と該変換入力色信号と該差分入力色信号を用いて、鑑賞画像参照データを生成する機能と、
を含むプログラムを記録してもよい。
【手続補正２４３】
【補正対象書類名】明細書
【補正対象項目名】０３６８
【補正方法】変更
【補正の内容】
【０３６８】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと変換大域輝度信号と差分大域輝度信号と詳細輝度信号と入力色信号を取得する機能と、
少なくとも取得した該鑑賞画像参照データと該変換大域輝度信号と該差分大域輝度信号と該詳細輝度信号と該入力色信号を用いて、改変された鑑賞画像参照データを生成する機能と、
を含むプログラムを記録してもよい。
【手続補正２４４】
【補正対象書類名】明細書
【補正対象項目名】０３６９
【補正方法】変更
【補正の内容】
【０３６９】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから鑑賞画像参照データと変換大域輝度信号と差分大域輝度信号と変換詳細輝度信号と差分詳細輝度信号と入力色信号を取得する機能と、
少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する機能と、
を含むプログラムを記録してもよい。
【手続補正２４５】
【補正対象書類名】明細書
【補正対象項目名】０３７０
【補正方法】変更
【補正の内容】
【０３７０】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと変換大域輝度信号と差分大域輝度信号と詳細輝度信号と変換入力色信号と差分入力色信号を取得する機能と、
少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する機能と、
を含むプログラムを記録してもよい。
【手続補正２４６】
【補正対象書類名】明細書
【補正対象項目名】０３７１
【補正方法】変更
【補正の内容】
【０３７１】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該変換大域輝度信号と該差分大域輝度信号と該詳細輝度信号と該入力色信号を前記記録媒体に記録する機能と、を実現させるためのプログラムであってもよい。
【手続補正２４７】
【補正対象書類名】明細書
【補正対象項目名】０３７２
【補正方法】変更
【補正の内容】
【０３７２】
また、前記コンピュータに、
前記入力画像データに付随する付加情報を取得する機能と、
取得した前記付加情報に基づいて、少なくとも前記大域輝度信号および前記詳細輝度信号の生成条件を決定する機能と、を含んでもよい。
【手続補正２４８】
【補正対象書類名】明細書
【補正対象項目名】０３７３
【補正方法】変更
【補正の内容】
【０３７３】
また、前記付加情報に基づいてローパスフィルター特性が決定され、決定されたローパスフィルター特性に基づいて前記大域輝度信号と詳細輝度信号とが生成されてもよい。
【手続補正２４９】
【補正対象書類名】明細書
【補正対象項目名】０３７４
【補正方法】変更
【補正の内容】
【０３７４】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該詳細輝度信号に変換処理を施して変換詳細輝度信号とする機能と、
該変換詳細輝度信号と該大域輝度信号から差分詳細輝度信号を生成する機能と、
少なくとも該変換大域輝度信号と該差分大域輝度信号と該変換詳細輝度信号と該差分詳細輝度信号と該入力色信号を前記記録媒体に記録する機能と、を実現させるためのプログラムであってもよい。
【手続補正２５０】
【補正対象書類名】明細書
【補正対象項目名】０３７５
【補正方法】変更
【補正の内容】
【０３７５】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該入力色信号に変換処理を施して変換入力色信号とする機能と、
該変換入力色信号と該入力色信号から差分入力色信号を生成する機能と、
少なくとも該変換大域輝度信号と該差分大域輝度信号と該詳細輝度信号と該変換入力色信号と該差分入力色信号を前記記録媒体に記録する機能と、を実現させるためのプログラムであってもよい。
【手続補正２５１】
【補正対象書類名】明細書
【補正対象項目名】０３７６
【補正方法】変更
【補正の内容】
【０３７６】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該変換大域輝度信号と該詳細輝度信号と該入力色信号を用いて鑑賞画像参照データを生成する機能と、
少なくとも該鑑賞画像参照データと該変換大域輝度信号と該差分大域輝度信号と該該詳細輝度信号と該入力色信号を前記記録媒体に記録する機能と、を実現させるためのプログラムであってもよい。
【手続補正２５２】
【補正対象書類名】明細書
【補正対象項目名】０３７７
【補正方法】変更
【補正の内容】
【０３７７】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも詳細輝度信号に変換処理を施して変換詳細輝度信号とする機能と、
該変換詳細輝度信号と該大域輝度信号から差分詳細輝度信号を生成する機能と、
少なくとも該変換大域輝度信号と該変換詳細輝度信号と該入力色信号を用いて鑑賞画像参照データを生成する機能と、
少なくとも該鑑賞画像参照データと該変換大域輝度信号と該差分大域輝度信号と該変換該詳細輝度信号と該差分詳細輝度信号と該入力色信号を前記記録媒体に記録する機能と、を実現させるためのプログラムであってもよい。
【手続補正２５３】
【補正対象書類名】明細書
【補正対象項目名】０３７８
【補正方法】変更
【補正の内容】
【０３７８】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データから入力輝度信号と入力色信号を生成する機能と、
該入力輝度信号から大域輝度信号と詳細輝度信号を生成する機能と、
少なくとも該大域輝度信号に変換処理を施して変換大域輝度信号とする機能と、
該変換大域輝度信号と該大域輝度信号から差分大域輝度信号を生成する機能と、
少なくとも該入力色信号に変換処理を施して変換入力色信号とする機能と、
該変換入力色信号と該入力色信号から差分入力色信号を生成する機能と、
少なくとも該変換大域輝度信号と該詳細輝度信号と該変換入力色信号を用いて鑑賞画像参照データを生成する機能と、
少なくとも該変換大域輝度信号と該差分大域輝度信号と該詳細輝度信号と該変換入力色信号と該差分入力色信号を前記記録媒体に記録する機能と、を実現させるためのプログラムであってもよい。
【手続補正２５４】
【補正対象書類名】明細書
【補正対象項目名】０３７９
【補正方法】変更
【補正の内容】
【０３７９】
また、入力画像データに出力媒体上での鑑賞画像形成のために最適化する画像処理を施して鑑賞画像参照データを生成するための処理を実行するためのコンピュータに、
前記入力画像データから少なくとも変換大域輝度信号と差分大域輝度信号と詳細輝度信号と入力色信号を取得する機能と、
少なくとも取得した該変換大域輝度信号と該差分大域輝度信号と該詳細輝度信号と該入力色信号を用いて、鑑賞画像参照データを生成する機能と、を実現させるためのプログラムであってもよい。
【手続補正２５５】
【補正対象書類名】明細書
【補正対象項目名】０３８０
【補正方法】変更
【補正の内容】
【０３８０】
また、前記コンピュータに、
前記入力画像データに付随する付加情報を取得する機能と、
取得した前記付加情報に基づいて、少なくとも前記大域輝度信号および前記詳細輝度信号の生成条件を決定する機能とを実現させてもよい。
【手続補正２５６】
【補正対象書類名】明細書
【補正対象項目名】０３８１
【補正方法】変更
【補正の内容】
【０３８１】
また、前記付加情報に基づいてローパスフィルター特性が決定され、決定されたローパスフィルター特性に基づいて前記大域輝度信号と詳細輝度信号とが生成されてもよい。
【手続補正２５７】
【補正対象書類名】明細書
【補正対象項目名】０３８２
【補正方法】変更
【補正の内容】
【０３８２】
また、入力画像データに出力媒体上での鑑賞画像形成のために最適化する画像処理を施して鑑賞画像参照データを生成するための処理を実行するためのコンピュータに、
前記入力画像データから少なくとも変換大域輝度信号と差分大域輝度信号と変換詳細輝度信号と差分詳細輝度信号と入力色信号を取得する機能と、
少なくとも取得した該変換大域輝度信号と該差分大域輝度信号と該変換該詳細輝度信号と該差分詳細輝度信号と該入力色信号を用いて、鑑賞画像参照データを生成する機能と、を実現させるためのプログラムであってもよい。
【手続補正２５８】
【補正対象書類名】明細書
【補正対象項目名】０３８３
【補正方法】変更
【補正の内容】
【０３８３】
また、入力画像データに出力媒体上での鑑賞画像形成のために最適化する画像処理を施して鑑賞画像参照データを生成するための処理を実行するためのコンピュータに、
前記入力画像データから少なくとも変換大域輝度信号と差分大域輝度信号と詳細輝度信号と変換入力色信号と差分入力色信号を取得する機能と、
少なくとも取得した該変換大域輝度信号と該差分大域輝度信号と該詳細輝度信号と該変換入力色信号と該差分入力色信号を用いて、鑑賞画像参照データを生成する機能と、を実現させるためのプログラムであってもよい。
【手続補正２５９】
【補正対象書類名】明細書
【補正対象項目名】０３８４
【補正方法】変更
【補正の内容】
【０３８４】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと変換大域輝度信号と差分大域輝度信号と詳細輝度信号と入力色信号を取得する機能と、
少なくとも取得した該鑑賞画像参照データと該変換大域輝度信号と該差分大域輝度信号と該詳細輝度信号と該入力色信号を用いて、改変された鑑賞画像参照データを生成する機能と、を実現させるためのプログラムであってもよい。
【手続補正２６０】
【補正対象書類名】明細書
【補正対象項目名】０３８５
【補正方法】変更
【補正の内容】
【０３８５】
また、入力画像データに出力媒体上での鑑賞画像形成のために最適化する画像処理を施して鑑賞画像参照データを生成するための処理を実行するためのコンピュータに、
前記入力画像データから鑑賞画像参照データと変換大域輝度信号と差分大域輝度信号と変換詳細輝度信号と差分詳細輝度信号と入力色信号を取得する機能と、
少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する機能と、を実現させるためのプログラムであってもよい。
【手続補正２６１】
【補正対象書類名】明細書
【補正対象項目名】０３８６
【補正方法】変更
【補正の内容】
【０３８６】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと変換大域輝度信号と差分大域輝度信号と詳細輝度信号と変換入力色信号と差分入力色信号を取得する機能と、
少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する機能と、を実現させるためのプログラムであってもよい。
【手続補正２６２】
【補正対象書類名】明細書
【補正対象項目名】０３８７
【補正方法】変更
【補正の内容】
【０３８７】
第５の発明群は、請求項２９〜３６記載の画像記録方法により構成される。
【手続補正２６３】
【補正対象書類名】明細書
【補正対象項目名】０３９１
【補正方法】変更
【補正の内容】
【０３９１】
特に、請求項２９記載の画像記録方法において、入力画像データに付随する付加情報を取得し、取得した付加情報に基づいて少なくとも大域信号および詳細信号の生成条件を決定することが好ましい。
【手続補正２６４】
【補正対象書類名】明細書
【補正対象項目名】０４１４
【補正方法】変更
【補正の内容】
【０４１４】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とするとともに、該色変換大域輝度信号と該色変換−変換大域輝度信号から色変換−差分大域輝度信号を生成する生成手段と、
少なくとも該色変換−変換大域輝度信号と該色変換−差分大域輝度信号と該色変換詳細輝度信号と該色変換入力色信号を前記記録媒体に記録する記録手段と、を備えてもよい。
【手続補正２６５】
【補正対象書類名】明細書
【補正対象項目名】０４１５
【補正方法】変更
【補正の内容】
【０４１５】
また、前記入力画像データに付随する付加情報を取得する取得手段と、
取得した前記付加情報に基づいて、少なくとも前記色変換大域輝度信号および前記色変換詳細輝度信号の生成条件を決定する色変換大域・詳細輝度信号生成条件決定手段と、を備えてもよい。
【手続補正２６６】
【補正対象書類名】明細書
【補正対象項目名】０４１６
【補正方法】変更
【補正の内容】
【０４１６】
また、前記付加情報に基づいてローパスフィルター特性を決定し、決定されたローパスフィルター特性に基づいて前記色変換大域輝度信号と色変換詳細輝度信号とを生成してもよい。
【手続補正２６７】
【補正対象書類名】明細書
【補正対象項目名】０４１７
【補正方法】変更
【補正の内容】
【０４１７】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から該色変換−差分大域輝度信号を生成し、少なくとも該色変換詳細輝度信号に変換処理を施して色変換−変換詳細輝度信号とするとともに、該色変換詳細輝度信号と該色変換−変換詳細輝度信号から色変換−差分詳細輝度信号を生成する生成手段と、
少なくとも該色変換−変換大域輝度信号と該色変換−差分大域輝度信号と該色変換−変換詳細輝度信号と該色変換−差分詳細輝度信号と該色変換入力色信号を前記記録媒体に記録する記録手段と、を備えてもよい。
【手続補正２６８】
【補正対象書類名】明細書
【補正対象項目名】０４１８
【補正方法】変更
【補正の内容】
【０４１８】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成し、該色変換入力色信号に変換処理を施して色変換−変換入力色信号を生成するとともに、該色変換入力色信号と該色変換−変換入力色信号を用いて色変換−差分入力色信号を生成する生成手段と、
少なくとも該色変換−変換大域輝度信号と該色変換−差分大域輝度信号と該色変換詳細輝度信号と該色変換−変換入力色信号と該色変換−差分入力色信号を前記記録媒体に記録する記録手段と、を備えてもよい。
【手続補正２６９】
【補正対象書類名】明細書
【補正対象項目名】０４１９
【補正方法】変更
【補正の内容】
【０４１９】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成するとともに、該色変換−変換大域輝度信号と該色変換詳細輝度信号と該色変換入力色信号から鑑賞画像参照データを生成する生成手段と、
少なくとも該鑑賞画像参照データと該色変換−変換大域輝度信号と該色変換−差分大域輝度信号と該色変換詳細輝度信号と該色変換入力色信号を前記記録媒体に記録する記録手段と、を備えてもよい。
【手続補正２７０】
【補正対象書類名】明細書
【補正対象項目名】０４２０
【補正方法】変更
【補正の内容】
【０４２０】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から該色変換−差分大域輝度信号を生成し、少なくとも該色変換詳細輝度信号に変換処理を施して色変換−変換詳細輝度信号とし、該色変換詳細輝度信号と該色変換−変換詳細輝度信号から色変換−差分詳細輝度信号を生成するとともに、該色変換−変換大域輝度信号と該色変換−変換詳細輝度信号と該色変換入力色信号から鑑賞画像参照データを生成する生成手段と、
少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する記録手段と、を備えてもよい。
【手続補正２７１】
【補正対象書類名】明細書
【補正対象項目名】０４２１
【補正方法】変更
【補正の内容】
【０４２１】
また、入力画像データに出力媒体上での鑑賞画像形成のために最適化する画像処理を施して、鑑賞画像参照データを生成するための画像データを記録媒体に記録する画像記録装置において、
前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成し、該色変換入力色信号に変換処理を施して色変換−変換入力色信号を生成し、該色変換入力色信号と該色変換−変換入力色信号を用いて色変換−差分入力色信号を生成するとともに、該色変換−変換大域輝度信号と該色変換詳細輝度信号と該色変換−変換入力色信号から鑑賞画像参照データを生成する生成手段と、
少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する記録手段と、を備えてもよい。
【手続補正２７２】
【補正対象書類名】明細書
【補正対象項目名】０４２２
【補正方法】変更
【補正の内容】
【０４２２】
また、入力画像データに出力媒体上での鑑賞画像形成のために最適化する画像処理を施して鑑賞画像参照データを生成する画像処理方法において、
前記入力画像データから少なくとも色変換−変換大域輝度信号と色変換−差分大域輝度信号と色変換詳細輝度信号と色変換入力色信号を取得する工程と、
少なくとも取得した該色変換−変換大域輝度信号と該色変換−差分大域輝度信号と該色変換詳細輝度信号と該色変換入力色信号を用いて、鑑賞画像参照データを生成する工程と、を含んでもよい。
【手続補正２７３】
【補正対象書類名】明細書
【補正対象項目名】０４２３
【補正方法】変更
【補正の内容】
【０４２３】
また、前記入力画像データに付随する付加情報を取得する工程と、
取得した前記付加情報に基づいて、少なくとも前記色変換大域輝度信号および前記色変換詳細輝度信号の生成条件を決定する色変換大域・詳細輝度信号生成条件決定工程と、を含んでもよい。
【手続補正２７４】
【補正対象書類名】明細書
【補正対象項目名】０４２４
【補正方法】変更
【補正の内容】
【０４２４】
また、前記付加情報に基づいてローパスフィルター特性を決定し、決定されたローパスフィルター特性に基づいて前記色変換大域輝度信号と色変換詳細輝度信号とを生成してもよい。
【手続補正２７５】
【補正対象書類名】明細書
【補正対象項目名】０４２５
【補正方法】変更
【補正の内容】
【０４２５】
また、入力画像データに出力媒体上での鑑賞画像形成のために最適化する画像処理を施して鑑賞画像参照データを生成する画像処理方法において、
前記入力画像データから少なくとも色変換−変換大域輝度信号と色変換−差分大域輝度信号と色変換−変換詳細輝度信号と色変換−差分詳細輝度信号と色変換入力色信号を取得する工程と、
少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する工程と、を含んでもよい。
【手続補正２７６】
【補正対象書類名】明細書
【補正対象項目名】０４２６
【補正方法】変更
【補正の内容】
【０４２６】
また、入力画像データに出力媒体上での鑑賞画像形成のために最適化する画像処理を施して鑑賞画像参照データを生成する画像処理方法において、
前記入力画像データから少なくとも色変換−変換大域輝度信号と色変換−差分大域輝度信号と色変換詳細輝度信号と色変換−変換入力色信号と色変換−差分入力色信号を取得する工程と、
少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する工程と、を含んでもよい。
【手続補正２７７】
【補正対象書類名】明細書
【補正対象項目名】０４２７
【補正方法】変更
【補正の内容】
【０４２７】
また、入力画像データに出力媒体上での鑑賞画像形成のために最適化する画像処理を施して鑑賞画像参照データを生成する画像処理方法において、
前記入力画像データから少なくとも鑑賞画像参照データと色変換−変換大域輝度信号と色変換−差分大域輝度信号と色変換詳細輝度信号と色変換入力色信号を取得する工程と、
少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する工程と、を含んでもよい。
【手続補正２７８】
【補正対象書類名】明細書
【補正対象項目名】０４２８
【補正方法】変更
【補正の内容】
【０４２８】
また、入力画像データに出力媒体上での鑑賞画像形成のために最適化する画像処理を施して鑑賞画像参照データを生成する画像処理方法において、
前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する工程と、
少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する工程と、を含んでもよい。
【手続補正２７９】
【補正対象書類名】明細書
【補正対象項目名】０４２９
【補正方法】変更
【補正の内容】
【０４２９】
また、入力画像データに出力媒体上での鑑賞画像形成のために最適化する画像処理を施して鑑賞画像参照データを生成する画像処理方法において、
前記入力画像データから少なくとも鑑賞画像参照データと色変換大域輝度信号と色変換−差分大域輝度信号と色変換詳細輝度信号と色変換−変換入力色信号と色変換−差分入力色信号を取得する工程と、
少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する工程と、を含んでもよい。
【手続補正２８０】
【補正対象書類名】明細書
【補正対象項目名】０４３０
【補正方法】変更
【補正の内容】
【０４３０】
また、入力画像データに出力媒体上での鑑賞画像形成のために最適化する画像処理を施して鑑賞画像参照データを生成する画像処理装置において、
前記入力画像データから少なくとも色変換−変換大域輝度信号と色変換−差分大域輝度信号と色変換詳細輝度信号と色変換入力色信号を取得する取得手段と、
少なくとも取得した該色変換−変換大域輝度信号と該色変換−差分大域輝度信号と該色変換詳細輝度信号と該色変換入力色信号を用いて、鑑賞画像参照データを生成する生成手段と、を備えてもよい。
【手続補正２８１】
【補正対象書類名】明細書
【補正対象項目名】０４３１
【補正方法】変更
【補正の内容】
【０４３１】
また、前記入力画像データに付随する付加情報を取得する手段と、
取得した前記付加情報に基づいて、少なくとも前記色変換大域輝度信号および前記色変換詳細輝度信号の生成条件を決定する色変換大域・詳細輝度信号生成条件決定手段と、を備えてもよい。
【手続補正２８２】
【補正対象書類名】明細書
【補正対象項目名】０４３２
【補正方法】変更
【補正の内容】
【０４３２】
また、前記付加情報に基づいてローパスフィルター特性を決定し、決定されたローパスフィルター特性に基づいて前記色変換大域輝度信号と色変換詳細輝度信号とを生成してもよい。
【手続補正２８３】
【補正対象書類名】明細書
【補正対象項目名】０４３３
【補正方法】変更
【補正の内容】
【０４３３】
また、入力画像データに出力媒体上での鑑賞画像形成のために最適化する画像処理を施して鑑賞画像参照データを生成する画像処理装置において、
前記入力画像データから少なくとも色変換−変換大域輝度信号と色変換−差分大域輝度信号と色変換−変換詳細輝度信号と色変換−差分詳細輝度信号と色変換入力色信号を取得する取得手段と、
少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する生成手段と、を備えてもよい。
【手続補正２８４】
【補正対象書類名】明細書
【補正対象項目名】０４３４
【補正方法】変更
【補正の内容】
【０４３４】
また、入力画像データに出力媒体上での鑑賞画像形成のために最適化する画像処理を施して鑑賞画像参照データを生成する画像処理装置において、
前記入力画像データから少なくとも色変換−変換大域輝度信号と色変換−差分大域輝度信号と色変換詳細輝度信号と色変換−変換入力色信号と色変換−差分入力色信号を取得する取得手段と、
少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する生成手段と、を備えてもよい。
【手続補正２８５】
【補正対象書類名】明細書
【補正対象項目名】０４３５
【補正方法】変更
【補正の内容】
【０４３５】
また、入力画像データに出力媒体上での鑑賞画像形成のために最適化する画像処理を施して鑑賞画像参照データを生成する画像処理装置において、
前記入力画像データから少なくとも鑑賞画像参照データと色変換−変換大域輝度信号と色変換−差分大域輝度信号と色変換詳細輝度信号と色変換入力色信号を取得する取得手段と、
少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する生成手段と、を備えてもよい。
【手続補正２８６】
【補正対象書類名】明細書
【補正対象項目名】０４３６
【補正方法】変更
【補正の内容】
【０４３６】
また、入力画像データに出力媒体上での鑑賞画像形成のために最適化する画像処理を施して鑑賞画像参照データを生成する画像処理装置において、
前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する取得手段と、
少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する生成手段と、を備えてもよい。
【手続補正２８７】
【補正対象書類名】明細書
【補正対象項目名】０４３７
【補正方法】変更
【補正の内容】
【０４３７】
また、入力画像データに出力媒体上での鑑賞画像形成のために最適化する画像処理を施して鑑賞画像参照データを生成する画像処理装置において、
前記入力画像データから少なくとも鑑賞画像参照データと色変換大域輝度信号と色変換−差分大域輝度信号と色変換詳細輝度信号と色変換−変換入力色信号と色変換−差分入力色信号を取得する取得手段と、
少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する生成手段と、を備えてもよい。
【手続補正２８８】
【補正対象書類名】明細書
【補正対象項目名】０４３８
【補正方法】変更
【補正の内容】
【０４３８】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
少なくとも該色変換−変換大域輝度信号と該色変換−差分大域輝度信号と該色変換詳細輝度信号と該色変換入力色信号を前記記録媒体に記録する機能と、
を含むプログラムを記録してもよい。
【手続補正２８９】
【補正対象書類名】明細書
【補正対象項目名】０４３９
【補正方法】変更
【補正の内容】
【０４３９】
また、前記プログラムは、
前記入力画像データに付随する付加情報を取得する機能と、
取得した前記付加情報に基づいて、少なくとも前記色変換大域輝度信号および前記色変換詳細輝度信号の生成条件を決定する機能と、を含んでもよい。
【手続補正２９０】
【補正対象書類名】明細書
【補正対象項目名】０４４０
【補正方法】変更
【補正の内容】
【０４４０】
また、前記プログラムにおいて、前記付加情報に基づいてローパスフィルター特性が決定され、決定されたローパスフィルター特性に基づいて前記色変換大域輝度信号と色変換詳細輝度信号とが生成されてもよい。
【手続補正２９１】
【補正対象書類名】明細書
【補正対象項目名】０４４１
【補正方法】変更
【補正の内容】
【０４４１】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から該色変換−差分大域輝度信号を生成する機能と、
少なくとも該色変換詳細輝度信号に変換処理を施して色変換−変換詳細輝度信号とする機能と、
該色変換詳細輝度信号と該色変換−変換詳細輝度信号から色変換−差分詳細輝度信号を生成する機能と、
少なくとも該色変換−変換大域輝度信号と該色変換−差分大域輝度信号と該色変換−変換詳細輝度信号と該色変換−差分詳細輝度信号と該色変換入力色信号を前記記録媒体に記録する機能と、
を含むプログラムを記録してもよい。
【手続補正２９２】
【補正対象書類名】明細書
【補正対象項目名】０４４２
【補正方法】変更
【補正の内容】
【０４４２】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
該色変換入力色信号に変換処理を施して色変換−変換入力色信号を生成する機能と、
該色変換入力色信号と該色変換−変換入力色信号を用いて色変換−差分入力色信号を生成する機能と、
少なくとも該色変換−変換大域輝度信号と該色変換−差分大域輝度信号と該色変換詳細輝度信号と該色変換−変換入力色信号と該色変換−差分入力色信号を前記記録媒体に記録する機能と、
を含むプログラムを記録してもよい。
【手続補正２９３】
【補正対象書類名】明細書
【補正対象項目名】０４４３
【補正方法】変更
【補正の内容】
【０４４３】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
該色変換−変換大域輝度信号と該色変換詳細輝度信号と該色変換入力色信号から鑑賞画像参照データを生成する機能と、
少なくとも該鑑賞画像参照データと該色変換−変換大域輝度信号と該色変換−差分大域輝度信号と該色変換詳細輝度信号と該色変換入力色信号を前記記録媒体に記録する機能と、
を含むプログラムを記録してもよい。
【手続補正２９４】
【補正対象書類名】明細書
【補正対象項目名】０４４４
【補正方法】変更
【補正の内容】
【０４４４】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から該色変換−差分大域輝度信号を生成する機能と、
少なくとも該色変換詳細輝度信号に変換処理を施して色変換−変換詳細輝度信号とする機能と、
該色変換詳細輝度信号と該色変換−変換詳細輝度信号から色変換−差分詳細輝度信号を生成する機能と、
該色変換−変換大域輝度信号と該色変換−変換詳細輝度信号と該色変換入力色信号から鑑賞画像参照データを生成する機能と、
少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する機能と、
を含むプログラムを記録してもよい。
【手続補正２９５】
【補正対象書類名】明細書
【補正対象項目名】０４４５
【補正方法】変更
【補正の内容】
【０４４５】
また、入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
該色変換入力色信号に変換処理を施して色変換−変換入力色信号を生成する機能と、
該色変換入力色信号と該色変換−変換入力色信号を用いて色変換−差分入力色信号を生成する機能と、
該色変換−変換大域輝度信号と該色変換詳細輝度信号と該色変換−変換入力色信号から鑑賞画像参照データを生成する機能と、
少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する機能と、
を含むプログラムを記録してもよい。
【手続補正２９６】
【補正対象書類名】明細書
【補正対象項目名】０４４６
【補正方法】変更
【補正の内容】
【０４４６】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも色変換−変換大域輝度信号と色変換−差分大域輝度信号と色変換詳細輝度信号と色変換入力色信号を取得する機能と、
少なくとも取得した該色変換−変換大域輝度信号と該色変換−差分大域輝度信号と該色変換詳細輝度信号と該色変換入力色信号を用いて、鑑賞画像参照データを生成する機能と、
を含むプログラムを記録してもよい。
【手続補正２９７】
【補正対象書類名】明細書
【補正対象項目名】０４４７
【補正方法】変更
【補正の内容】
【０４４７】
また、前記プログラムは、
前記入力画像データに付随する付加情報を取得する機能と、
取得した前記付加情報に基づいて、少なくとも前記色変換大域輝度信号および前記色変換詳細輝度信号の生成条件を決定する機能と、を含んでもよい。
【手続補正２９８】
【補正対象書類名】明細書
【補正対象項目名】０４４８
【補正方法】変更
【補正の内容】
【０４４８】
また、前記プログラムにおいて、前記付加情報に基づいてローパスフィルター特性が決定され、決定されたローパスフィルター特性に基づいて前記色変換大域輝度信号と色変換詳細輝度信号とが生成されてもよい。
【手続補正２９９】
【補正対象書類名】明細書
【補正対象項目名】０４４９
【補正方法】変更
【補正の内容】
【０４４９】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも色変換−変換大域輝度信号と色変換−差分大域輝度信号と色変換−変換詳細輝度信号と色変換−差分詳細輝度信号と色変換入力色信号を取得する機能と、
少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する機能と、
を含むプログラムを記録してもよい。
【手続補正３００】
【補正対象書類名】明細書
【補正対象項目名】０４５０
【補正方法】変更
【補正の内容】
【０４５０】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも色変換−変換大域輝度信号と色変換−差分大域輝度信号と色変換詳細輝度信号と色変換−変換入力色信号と色変換−差分入力色信号を取得する機能と、
少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する機能と、
を含むプログラムを記録してもよい。
【手続補正３０１】
【補正対象書類名】明細書
【補正対象項目名】０４５１
【補正方法】変更
【補正の内容】
【０４５１】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと色変換−変換大域輝度信号と色変換−差分大域輝度信号と色変換詳細輝度信号と色変換入力色信号を取得する機能と、
少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する機能と、
を含むプログラムを記録してもよい。
【手続補正３０２】
【補正対象書類名】明細書
【補正対象項目名】０４５２
【補正方法】変更
【補正の内容】
【０４５２】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する機能と、
少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する機能と、
を含むプログラムを記録してもよい。
【手続補正３０３】
【補正対象書類名】明細書
【補正対象項目名】０４５３
【補正方法】変更
【補正の内容】
【０４５３】
また、入力画像データに出力媒体上での鑑賞画像形成のために最適化する画像処理を施して鑑賞画像参照データを生成するための処理を実行させるためのプログラムを記録したコンピュータ読み取り可能な記録媒体であって、
前記入力画像データから少なくとも鑑賞画像参照データと色変換大域輝度信号と色変換−差分大域輝度信号と色変換詳細輝度信号と色変換−変換入力色信号と色変換−差分入力色信号を取得する機能と、
少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する機能と、
を含むプログラムを記録してもよい。
【手続補正３０４】
【補正対象書類名】明細書
【補正対象項目名】０４５４
【補正方法】変更
【補正の内容】
【０４５４】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
少なくとも該色変換−変換大域輝度信号と該色変換−差分大域輝度信号と該色変換詳細輝度信号と該色変換入力色信号を前記記録媒体に記録する機能と、を実現させるためのプログラムであってもよい。
【手続補正３０５】
【補正対象書類名】明細書
【補正対象項目名】０４５５
【補正方法】変更
【補正の内容】
【０４５５】
また、前記コンピュータに、
前記入力画像データに付随する付加情報を取得する機能と、
取得した前記付加情報に基づいて、少なくとも前記色変換大域輝度信号および前記色変換詳細輝度信号の生成条件を決定する機能と、を実現させてもよい。
【手続補正３０６】
【補正対象書類名】明細書
【補正対象項目名】０４５６
【補正方法】変更
【補正の内容】
【０４５６】
また、前記付加情報に基づいてローパスフィルター特性が決定され、決定されたローパスフィルター特性に基づいて前記色変換大域輝度信号と色変換詳細輝度信号とが生成されてもよい。
【手続補正３０７】
【補正対象書類名】明細書
【補正対象項目名】０４５７
【補正方法】変更
【補正の内容】
【０４５７】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から該色変換−差分大域輝度信号を生成する機能と、
少なくとも該色変換詳細輝度信号に変換処理を施して色変換−変換詳細輝度信号とする機能と、
該色変換詳細輝度信号と該色変換−変換詳細輝度信号から色変換−差分詳細輝度信号を生成する機能と、
少なくとも該色変換−変換大域輝度信号と該色変換−差分大域輝度信号と該色変換−変換詳細輝度信号と該色変換−差分詳細輝度信号と該色変換入力色信号を前記記録媒体に記録する機能と、を実現させるためのプログラムであってもよい。
【手続補正３０８】
【補正対象書類名】明細書
【補正対象項目名】０４５８
【補正方法】変更
【補正の内容】
【０４５８】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
該色変換入力色信号に変換処理を施して色変換−変換入力色信号を生成する機能と、
該色変換入力色信号と該色変換−変換入力色信号を用いて色変換−差分入力色信号を生成する機能と、
少なくとも該色変換−変換大域輝度信号と該色変換−差分大域輝度信号と該色変換詳細輝度信号と該色変換−変換入力色信号と該色変換−差分入力色信号を前記記録媒体に記録する機能と、を実現させるためのプログラムであってもよい。
【手続補正３０９】
【補正対象書類名】明細書
【補正対象項目名】０４５９
【補正方法】変更
【補正の内容】
【０４５９】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
該色変換−変換大域輝度信号と該色変換詳細輝度信号と該色変換入力色信号から鑑賞画像参照データを生成する機能と、
少なくとも該鑑賞画像参照データと該色変換−変換大域輝度信号と該色変換−差分大域輝度信号と該色変換詳細輝度信号と該色変換入力色信号を前記記録媒体に記録する機能と、を実現させるためのプログラムであってもよい。
【手続補正３１０】
【補正対象書類名】明細書
【補正対象項目名】０４６０
【補正方法】変更
【補正の内容】
【０４６０】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から該色変換−差分大域輝度信号を生成する機能と、
少なくとも該色変換詳細輝度信号に変換処理を施して色変換−変換詳細輝度信号とする機能と、
該色変換詳細輝度信号と該色変換−変換詳細輝度信号から色変換−差分詳細輝度信号を生成する機能と、
該色変換−変換大域輝度信号と該色変換−変換詳細輝度信号と該色変換入力色信号から鑑賞画像参照データを生成する機能と、
少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する機能と、を実現させるためのプログラムであってもよい。
【手続補正３１１】
【補正対象書類名】明細書
【補正対象項目名】０４６１
【補正方法】変更
【補正の内容】
【０４６１】
また、入力画像データに出力媒体上での鑑賞画像形成のために最適化する画像処理を施して、鑑賞画像参照データを生成するための画像データを記録媒体に記録する処理を実行するためのコンピュータに、
前記入力画像データに色域変換処理を施した後に色変換入力輝度信号と色変換入力色信号を生成する機能と、
該色変換入力輝度信号から色変換大域輝度信号と色変換詳細輝度信号を生成する機能と、
少なくとも該色変換大域輝度信号に変換処理を施して色変換−変換大域輝度信号とする機能と、
該色変換大域輝度信号と該色変換−変換大域輝度信号から色変換−差分大域輝度信号を生成する機能と、
該色変換入力色信号に変換処理を施して色変換−変換入力色信号を生成する機能と、
該色変換入力色信号と該色変換−変換入力色信号を用いて色変換−差分入力色信号を生成する機能と、
該色変換−変換大域輝度信号と該色変換詳細輝度信号と該色変換−変換入力色信号から鑑賞画像参照データを生成する機能と、
少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する機能と、を実現させるためのプログラムであってもよい。
【手続補正３１２】
【補正対象書類名】明細書
【補正対象項目名】０４６２
【補正方法】変更
【補正の内容】
【０４６２】
また、入力画像データに出力媒体上での鑑賞画像形成のために最適化する画像処理を施して鑑賞画像参照データを生成するための処理を実行するためのコンピュータに、
前記入力画像データから少なくとも色変換−変換大域輝度信号と色変換−差分大域輝度信号と色変換詳細輝度信号と色変換入力色信号を取得する機能と、
少なくとも取得した該色変換−変換大域輝度信号と該色変換−差分大域輝度信号と該色変換詳細輝度信号と該色変換入力色信号を用いて、鑑賞画像参照データを生成する機能と、を実現させるためのプログラムであってもよい。
【手続補正３１３】
【補正対象書類名】明細書
【補正対象項目名】０４６３
【補正方法】変更
【補正の内容】
【０４６３】
また、前記コンピュータに、
前記入力画像データに付随する付加情報を取得する機能と、
取得した前記付加情報に基づいて、少なくとも前記色変換大域輝度信号および前記色変換詳細輝度信号の生成条件を決定する機能と、を実現させてもよい。
【手続補正３１４】
【補正対象書類名】明細書
【補正対象項目名】０４６４
【補正方法】変更
【補正の内容】
【０４６４】
また、前記付加情報に基づいてローパスフィルター特性が決定され、決定されたローパスフィルター特性に基づいて前記色変換大域輝度信号と色変換詳細輝度信号とが生成されてもよい。
【手続補正３１５】
【補正対象書類名】明細書
【補正対象項目名】０４６５
【補正方法】変更
【補正の内容】
【０４６５】
また、入力画像データに出力媒体上での鑑賞画像形成のために最適化する画像処理を施して鑑賞画像参照データを生成するための処理を実行するためのコンピュータに、
前記入力画像データから少なくとも色変換−変換大域輝度信号と色変換−差分大域輝度信号と色変換−変換詳細輝度信号と色変換−差分詳細輝度信号と色変換入力色信号を取得する機能と、
少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する機能と、を実現させるためのプログラムであってもよい。
【手続補正３１６】
【補正対象書類名】明細書
【補正対象項目名】０４６６
【補正方法】変更
【補正の内容】
【０４６６】
また、入力画像データに出力媒体上での鑑賞画像形成のために最適化する画像処理を施して鑑賞画像参照データを生成するための処理を実行するためのコンピュータに、
前記入力画像データから少なくとも色変換−変換大域輝度信号と色変換−差分大域輝度信号と色変換詳細輝度信号と色変換−変換入力色信号と色変換−差分入力色信号を取得する機能と、
少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する機能と、を実現させるためのプログラムであってもよい。
【手続補正３１７】
【補正対象書類名】明細書
【補正対象項目名】０４６７
【補正方法】変更
【補正の内容】
【０４６７】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと色変換−変換大域輝度信号と色変換−差分大域輝度信号と色変換詳細輝度信号と色変換入力色信号を取得する機能と、
少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する機能と、を実現させるためのプログラムであってもよい。
【手続補正３１８】
【補正対象書類名】明細書
【補正対象項目名】０４６８
【補正方法】変更
【補正の内容】
【０４６８】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する機能と、
少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する機能と、を実現させるためのプログラムであってもよい。
【手続補正３１９】
【補正対象書類名】明細書
【補正対象項目名】０４６９
【補正方法】変更
【補正の内容】
【０４６９】
また、入力画像データに出力媒体上での鑑賞画像形成のために最適化する画像処理を施して鑑賞画像参照データを生成するための処理を実行するためのコンピュータに、
前記入力画像データから少なくとも鑑賞画像参照データと色変換大域輝度信号と色変換−差分大域輝度信号と色変換詳細輝度信号と色変換−変換入力色信号と色変換−差分入力色信号を取得する機能と、
少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する機能と、を実現させるためのプログラムであってもよい。
【手続補正３２０】
【補正対象書類名】明細書
【補正対象項目名】０４７０
【補正方法】変更
【補正の内容】
【０４７０】
請求項３７〜４４記載の画像記録方法により構成される第６群の発明は、第５の発明群と近似する構成を有しており、第５の発明群において、入力画像データから入力輝度信号と入力色信号を生成する前に、入力画像データに色変換処理を施す点が異なる。
【手続補正３２１】
【補正対象書類名】明細書
【補正対象項目名】０４７５
【補正方法】変更
【補正の内容】
【０４７５】
特に、請求項３７記載の画像記録方法において、入力画像データに付随する付加情報を取得し、取得した付加情報に基づいて少なくとも色変換大域輝度信号および色変換詳細輝度信号の生成条件を決定することが好ましい。
【手続補正３２２】
【補正対象書類名】明細書
【補正対象項目名】０５５０
【補正方法】変更
【補正の内容】
【０５５０】
［第１の最良の形態］
図４〜図６は、第１の最良の形態において図３の画像調整処理部７０ｂにより実行される画像記録処理及び画像処理を示すフローチャートである。
図４は、第１の最良の形態における画像記録処理を示すフローチャートである。
図４において、はじめに、画像調整処理部７０ｂは、入力画像データを取得し（ステップＳ１）、入力画像データから大域信号と詳細信号を生成し（ステップＳ２）、大域信号と詳細信号を指定メディアとして、例えば、光ディスクに記録する（ステップＳ３）。
【手続補正３２３】
【補正対象書類名】明細書
【補正対象項目名】０５５２
【補正方法】変更
【補正の内容】
【０５５２】
次いで、図５は、第１の最良の形態における画像処理を示すフローチャートである。
上記ステップＳ１で取得した入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があったとする。
【手続補正３２４】
【補正対象書類名】明細書
【補正対象項目名】０５６４
【補正方法】変更
【補正の内容】
【０５６４】
［第２の最良の形態］
図７〜図９は、第２の最良の形態において図３の画像調整処理部７０ｂにより実行される画像記録処理及び画像処理を示すフローチャートである。
図７は、第２の最良の形態における画像記録処理を示すフローチャートである。
図７において、はじめに、画像調整処理部７０ｂは、入力画像データを取得し（ステップＳ３１）、入力画像データから入力輝度信号と入力色信号を生成し（ステップＳ３２、Ｓ３３）、入力輝度信号から大域輝度信号と詳細輝度信号を、図４のステップＳ２と同様の方法を用いて生成し（ステップＳ３４）、大域輝度信号と詳細輝度信号と入力色信号を指定されたメディアとして、例えば、光ディスクに記録する（ステップＳ３５）。
【手続補正３２５】
【補正対象書類名】明細書
【補正対象項目名】０５６６
【補正方法】変更
【補正の内容】
【０５６６】
次いで、図８は、第２の最良の形態における画像処理を示すフローチャートである。
上記ステップＳＳ３１で取得した入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があったとする。
【手続補正３２６】
【補正対象書類名】明細書
【補正対象項目名】０５８５
【補正方法】変更
【補正の内容】
【０５８５】
図１０は、第３の最良の形態における画像記録処理を示すフローチャートである。
図１０において、はじめに、画像調整処理部７０ｂは、入力画像データを取得し（ステップＳ６１）、その入力画像データに対してＲＩＭＭＲＧＢからｓＲＧＢへの色空間の変換処理（ステップＳ６２）を行った後に、図７のステップＳ３２、Ｓ３３と同様に色変換入力輝度信号と色変換入力色信号を生成し（ステップＳ６３〜Ｓ６５）、色変換入力輝度信号から色変換大域輝度信号と色変換詳細輝度信号を、図４のステップＳ２と同様の方法を用いて生成し（ステップＳ６６）、色変換大域輝度信号と色変換詳細輝度信号と色変換入力色信号を指定されたメディアとして、例えば、光ディスクに記録する（ステップＳ６７）。
【手続補正３２７】
【補正対象書類名】明細書
【補正対象項目名】０５８６
【補正方法】変更
【補正の内容】
【０５８６】
次いで、図１１は、第３の最良の形態における画像処理を示すフローチャートである。
図１１において、はじめに、画像調整処理部７０ｂは、図１０のステップＳ６７で記録された色変換入力色信号と色変換大域輝度信号と色変換詳細輝度信号を光ディスクから取得し（ステップＳ７１）、色変換大域輝度信号を用いて図５のステップＳ１２と同様の方法を用いて覆い焼き処理を施し（ステップＳ７２）、色変換詳細輝度信号を用いて図５のステップＳ１３と同様の方法を用いて鮮鋭性強調処理を施す（ステップＳ７３）。
【手続補正３２８】
【補正対象書類名】明細書
【補正対象項目名】０５９９
【補正方法】変更
【補正の内容】
【０５９９】
図１３は、第４の最良の形態における画像記録処理を示すフローチャートである。
図１３において、はじめに、画像調整処理部７０ｂは、入力画像データを取得し（ステップＳ９１）、図４の画像記録処理と同様に入力画像データから大域信号と詳細信号を生成し（ステップＳ９２、Ｓ９３）、図４の画像記録処理と同様に大域信号に覆い焼き処理を施し変換大域信号を生成し(ステップＳ９４、Ｓ９５)、大域信号と変換大域信号の差分をとって差分大域信号を生成し（ステップＳ９６、Ｓ９７）、変換大域信号と差分大域信号と詳細信号を指定メディアとして、例えば、光ディスクに記録する（ステップＳ９８）。
【手続補正３２９】
【補正対象書類名】明細書
【補正対象項目名】０６００
【補正方法】変更
【補正の内容】
【０６００】
次いで、図１４は、第４の最良の形態における画像処理を示すフローチャートである。
図１４において、はじめに、画像調整処理部７０ｂは、上記ステップＳ９８で記録された変換大域信号と差分大域信号と詳細信号を取得し（ステップＳ１０１〜Ｓ１０４）、変換大域信号と詳細信号を加算して鑑賞画像参照データを生成する（ステップＳ１０５、Ｓ１０６）。
【手続補正３３０】
【補正対象書類名】明細書
【補正対象項目名】０６１１
【補正方法】変更
【補正の内容】
【０６１１】
図１６は、第５の最良の形態における画像記録処理を示すフローチャートである。
図１６において、はじめに、画像調整処理部７０ｂは、入力画像データを取得し（ステップＳ２０１）、図７のステップＳ３２、Ｓ３３と同様に入力画像データから入力輝度信号と入力色信号を生成し（ステップＳ２０２）、入力輝度信号から大域輝度信号と詳細輝度信号を、図７のステップＳ３４と同様の方法を用いて生成し（ステップＳ２０３、Ｓ２０５）、図８のステップＳ４２と同様に大域輝度信号に覆い焼き処理を施して変換大域輝度信号を生成し(ステップＳ２０６、Ｓ２０８)、大域輝度信号と変換大域輝度信号の差分をとって差分大域輝度信号を生成し（ステップＳ２０９、Ｓ２１０）、変換大域輝度信号と差分大域輝度信号と詳細輝度信号と入力色信号を指定メディアとして、例えば、光ディスクに記録する（ステップＳ２０４、Ｓ２０７、Ｓ２１１）。
【手続補正３３１】
【補正対象書類名】明細書
【補正対象項目名】０６１２
【補正方法】変更
【補正の内容】
【０６１２】
次いで、図１７は、第５の最良の形態における画像処理を示すフローチャートである。
なお、上記ステップＳ２０１で取得した入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があるものとする。
【手続補正３３２】
【補正対象書類名】明細書
【補正対象項目名】０６２４
【補正方法】変更
【補正の内容】
【０６２４】
図１９は、第６の最良の形態における画像記録処理を示すフローチャートである。
図１９において、はじめに、画像調整処理部７０ｂは、入力画像データを取得し（ステップＳ３０１）、この入力画像データにＲＩＭＭＲＧＢからｓＲＧＢへの色空間の変換処理（ステップＳ３０２）を行った後に、図１０のステップＳ６３と同様に入力画像データから色変換入力輝度信号と色変換入力色信号を生成し（ステップＳ３０３〜Ｓ３０５）、色変換入力輝度信号から色変換大域輝度信号と色変換詳細輝度信号を、図１０のステップＳ６６と同様の方法を用いて生成し（ステップＳ３０６〜Ｓ３０８）、図１１のステップＳ７２と同様に色変換大域輝度信号に覆い焼き処理を施して、色変換−変換大域輝度信号を生成し(ステップＳ３０９、Ｓ３１０)、色変換大域輝度信号と色変換−変換大域輝度信号の差分をとって色変換−差分大域輝度信号を生成し（ステップＳ３１１）、色変換−変換大域輝度信号と色変換−差分大域輝度信号と色変換詳細輝度信号と色変換入力色信号を指定メディアとして、例えば、光ディスクに記録する（ステップＳ３１２）。
【手続補正３３３】
【補正対象書類名】明細書
【補正対象項目名】０６２５
【補正方法】変更
【補正の内容】
【０６２５】
次いで、図２０は、第６の最良の形態における画像処理を示すフローチャートである。
図２０において、はじめに、画像調整処理部７０ｂは、ステップＳ３１２で記録された記録メディアから色変換−変換大域輝度信号と色変換−差分大域輝度信号と色変換詳細輝度信号と色変換入力色信号を取得し（ステップＳ３２１〜Ｓ３２５）、色変換−変換大域信号と色変換詳細信号を加算し（ステップＳ３２６）、これと色変換入力色信号を合成処理して鑑賞画像参照データを生成する（ステップＳ３２７）。